(57)【要約】  本開示の送信装置は、レガシープリアンブル、非レガシープリアンブル、および、データフィールドを含む送信信号を生成する。非レガシープリアンブルは、第１の信号フィールドおよび第２の信号フィールドを含み、第２の信号フィールドは、第１のチャネルフィールドおよび第２のチャネルフィールドを含む。第１のチャネルフィールドおよび第２のチャネルフィールドの各々は、リソースユニット（ＲＵ）割り当て情報を搬送する共通フィールドと、１つまたは複数の端末局に関するユーザ別割り当て情報を搬送するユーザ固有フィールドとを含む。パディングビットが付加される前に、第１のチャネルフィールドおよび第２のチャネルフィールドのうちのいずれかの、他方のチャネルフィールドよりも長い一方のチャネルフィールドのユーザ固有フィールドの一部が、他方のチャネルフィールドに移転される。
2019507529.tif 000002
【特許請求の範囲】
【請求項１】
動作時に、レガシープリアンブル、非レガシープリアンブル、および、データフィールドを含む送信信号を生成し、前記非レガシープリアンブルは、第１の信号フィールドおよび第２の信号フィールドを含み、前記第２の信号フィールドは、異なる周波数サブバンドに位置する第１のチャネルフィールドおよび第２のチャネルフィールドを含み、前記第１のチャネルフィールドおよび前記第２のチャネルフィールドの各々は、リソースユニット（ＲＵ）割り当て情報を搬送する共通フィールドと、１つまたは複数の端末局に関するユーザ別割り当て情報を搬送するユーザ固有フィールドと、を含み、パディングビットが付加される前に、前記第１のチャネルフィールドおよび前記第２のチャネルフィールドのうちのいずれかの、他方の前記チャネルフィールドよりも長い一方の前記チャネルフィールドのユーザ固有フィールドの一部が、他方の前記チャネルフィールドに移転される、送信信号生成部と、
動作中に、前記生成された送信信号を送信する送信部と、
を備える送信装置。
【請求項２】
前記ユーザ固有フィールドの前記移転部分は、他方の前記チャネルフィールドの所定の位置に配置される、
請求項１に記載の送信装置。
【請求項３】
前記ユーザ固有フィールドの前記移転部分は、前記ユーザ固有フィールドの他の部分を送信するために使用されるものよりもロバストな送信方式を使用して送信される、
請求項１に記載の送信装置。
【請求項４】
前記ユーザ固有フィールドの前記移転部分は、他方の前記チャネルフィールドにおいて１回以上複製される、
請求項３に記載の送信装置。
【請求項５】
前記ユーザ固有フィールドの前記移転部分の長さ、および、前記ユーザ固有フィールドの前記移転部分が他方の前記チャネルフィールド内で複製される回数は、前記第１のチャネルフィールドおよび前記第２のチャネルフィールドのうちの一方の前記第１の信号フィールドまたは前記共通フィールドにおいてシグナリングされる、
請求項４に記載の送信装置。
【請求項６】
前記ユーザ固有フィールドの前記移転部分は、前記ユーザ固有フィールドの他の部分を送信するために使用されるＭＣＳよりもロバストなＭＣＳを用いて送信される、
請求項３に記載の送信装置。
【請求項７】
前記ユーザ固有フィールドの前記移転部分の長さ、および、前記ユーザ固有フィールドの前記移転部分を送信するのに使用される前記ＭＣＳは、前記第１のチャネルフィールドおよび前記第２のチャネルフィールドのうちの一方の前記第１の信号フィールドまたは前記共通フィールドにおいてシグナリングされる、
請求項６に記載の送信装置。
【請求項８】
前記ユーザ固有フィールドの前記移転部分は、前記ユーザ固有フィールドの他の部分よりも高い送信電力で送信される、
請求項３に記載の送信装置。
【請求項９】
前記ユーザ固有フィールドの前記移転部分の長さは、前記第１のチャネルフィールドおよび前記第２のチャネルフィールドのうちの一方の前記第１の信号フィールドまたは前記共通フィールドにおいてシグナリングされる、
請求項８に記載の送信装置。
【請求項１０】
動作時に、レガシープリアンブル、非レガシープリアンブル、およびデータフィールドを含む送信信号を生成し、前記非レガシープリアンブルは、第１の信号フィールドおよび第２の信号フィールドを含み、前記第２の信号フィールドは、異なる周波数サブバンドに位置する第１のチャネルフィールドおよび第２のチャネルフィールドを含み、前記第１のチャネルフィールドおよび前記第２のチャネルフィールドの各々は、リソースユニット（ＲＵ）割り当て情報を搬送する共通フィールドと、１つまたは複数の端末局に関するユーザ別割り当て情報を搬送するユーザ固有フィールドと、を含み、前記第１のチャネルフィールドに使用されるＭＣＳは、前記第２のチャネルフィールドに使用されるＭＣＳとは異なる、送信信号生成部と、
動作中に、前記生成された送信信号を送信する送信部と、
を備える送信装置。
【請求項１１】
パディングビットが付加される前に、前記第１のチャネルフィールドおよび前記第２のチャネルフィールドのうちのいずれかの、他方の前記チャネルフィールドよりも長い一方に使用される前記ＭＣＳが、他方の前記チャネルフィールドに使用される前記ＭＣＳよりもロバストでない、
請求項１０に記載の送信装置。
【請求項１２】
前記第１のチャネルフィールドに使用されるＭＣＳおよび前記第２のチャネルフィールドに使用されるＭＣＳは、前記第１の信号フィールド内でシグナリングされる、
請求項１０に記載の送信装置。
【請求項１３】
動作時に、レガシープリアンブル、非レガシープリアンブル、およびデータフィールドを含む送信信号を生成する送信信号生成部と、前記非レガシープリアンブルは、第１の信号フィールドおよび第２の信号フィールドを含み、前記第２の信号フィールドは、異なる周波数サブバンドに位置する第１のチャネルフィールドおよび第２のチャネルフィールドを含み、前記第１のチャネルフィールドおよび前記第２のチャネルフィールドの各々は、１つまたは複数の端末局に関するユーザ別割り当て情報を搬送するユーザ固有のサブフィールドを含み、前記第２の信号フィールドが全帯域幅ＭＵ−ＭＩＭＯ（多ユーザ多入力多出力）送信のために圧縮されている場合、前記第２の信号フィールドの前記第１のチャネルフィールドおよび前記第２のチャネルフィールドは等しい数のユーザ固有のサブフィールドを有し、あるいは前記第１のチャネルフィールドは、前記第２のチャネルフィールドより１つ多くのユーザ固有のサブフィールドを有し、そして、前記第１の信号フィールドは、前記全帯域幅ＭＵ−ＭＩＭＯ送信において多重された端末局の数を示すための第１シグナリングを含み、
動作中に、前記生成された送信信号を送信する送信部と、
を備える送信装置。
【請求項１４】
前記第１の信号フィールドは、前記第２の信号フィールドに使用されるＭＣＳを示す第２のシグナリングと、前記第２の信号フィールドが前記第２のシグナリングによって示された前記ＭＣＳに対して２重サブキャリア変調で変調されているかどうかを示す第３のシグナリングと、をさらに含み、前記第２信号フィールドが全帯域幅ＭＵ−ＭＩＭＯ送信のために圧縮されている場合、前記第２信号フィールドのための直交周波数分割多重（ＯＦＤＭ）シンボルの数は、前記第１の信号フィールド内の、前記第１シグナリング、前記第２のシグナリングおよび前記第３のシグナリングの値に従って導き出すことができる、
請求項１３に記載の送信装置。
【請求項１５】
前記第２の信号フィールドが全帯域幅ＭＵ−ＭＩＭＯ送信のために圧縮されていない場合、前記第２の信号フィールドの前記第１のチャネルフィールドおよび前記第２のチャネルフィールドの各々は、ＲＵ割り当て情報を搬送する共通フィールドをさらに備え、前記第１の信号フィールドの前記第１のシグナリングは、前記第２の信号フィールドのＯＦＤＭシンボルの数を示すために再利用される、
請求項１３に記載の送信装置。
【請求項１６】
レガシープリアンブル、非レガシープリアンブル、およびデータフィールドを含む送信信号を生成するステップであり、前記非レガシープリアンブルは、第１の信号フィールドおよび第２の信号フィールドを含み、前記第２の信号フィールドは、異なる周波数サブバンドに位置する第１のチャネルフィールドおよび第２のチャネルフィールドを含み、前記第１のチャネルフィールドおよび前記第２のチャネルフィールドの各々は、リソースユニット（ＲＵ）割り当て情報を搬送する共通フィールドと、１つまたは複数の端末局に関するユーザ別割り当て情報を搬送するユーザ固有フィールドと、を含み、パディングビットが付加される前に、前記第１のチャネルフィールドおよび前記第２のチャネルフィールドのうちのいずれかの、他方の前記チャネルフィールドよりも長い一方の前記チャネルフィールドのユーザ固有フィールドの一部が、他方の前記チャネルフィールドに移転される、送信信号を生成するステップと、
前記生成された送信信号を送信するステップと、
を含む送信方法。
【請求項１７】
前記ユーザ固有フィールドの前記移転部分は、他方の前記チャネルフィールドの所定の位置に配置される、
請求項１６に記載の送信方法。
【請求項１８】
前記ユーザ固有フィールドの前記移転部分は、前記ユーザ固有フィールドの他の部分を送信するために使用されるものよりもロバストな送信方式を使用して送信される、
請求項１６に記載の送信方法。
【請求項１９】
前記ユーザ固有フィールドの前記移転部分は、他方の前記チャネルフィールドにおいて１回以上複製される、
請求項１８に記載の送信方法。
【請求項２０】
前記ユーザ固有フィールドの前記移転部分の長さ、および、前記ユーザ固有フィールドの前記移転部分が他方の前記チャネルフィールド内で複製される回数は、前記第１のチャネルフィールドおよび前記第２のチャネルフィールドのうちの一方の前記第１の信号フィールドまたは前記共通フィールドにおいてシグナリングされる、
請求項１９に記載の送信方法。
【発明の詳細な説明】
【技術分野】
【０００１】
本開示は、一般に無線通信に関し、より詳細には、無線通信システムにおいて制御シグナリングをフォーマットし、送信するための方法に関する。
【背景技術】
【０００２】
ＩＥＥＥ（米国電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ））８０２．１１ワーキンググループは、高密度シナリオにおいてユーザが実世界のスループットにおける非常に大きな増加を達成するために、８０２．１１ａｘ  ＨＥ（高効率（Ｈｉｇｈ  Ｅｆｆｉｃｉｅｎｃｙ））ＷＬＡＮ（無線ローカルエリアネットワーク（Ｗｉｒｅｌｅｓｓ  Ｌｏｃａｌ  Ａｒｅａ  Ｎｅｔｗｏｒｋ））エアインタフェースを開発している。ＯＦＤＭＡ（直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ））マルチユーザ送信は、８０２．１１ａｘの最も重要な特徴の１つとして想定されている。ＯＦＤＭＡは、ＯＦＤＭシステムの時間および周波数リソースにわたって複数のユーザへのおよび複数のユーザからのデータストリームの複数の動作を実行する多元接続方式である。
【０００３】
８０２．１１ａｘにおけるＯＦＤＭＡマルチユーザ送信の周波数スケジューリングを行うための研究が進められている。周波数スケジューリングによれば、無線通信アクセスポイント装置（以下、単に「アクセスポイント」または「ＡＰ」という）は、ＳＴＡの周波数帯域の受信品質に基づいて複数の無線通信局装置（以下、単に「端末局」または「ＳＴＡ」という）にサブキャリアを適応的に割り当てる。これにより、最大限のマルチユーザダイバーシティ効果を得ることができ、通信を非常に効率的に行うことができる。
【０００４】
周波数スケジューリングは、一般に、リソースユニット（ＲＵ：Ｒｅｓｏｕｒｃｅ  Ｕｎｉｔ）に基づいて行われる。ＲＵは、複数の連続するサブキャリアを含む。ＲＵは、ＡＰが通信する複数のＳＴＡの各々にＡＰによって割り当てられる。ＡＰによって実行される周波数スケジューリングのリソース割り当て結果は、リソース割り当て情報としてＳＴＡに通知されるべきである。さらに、ＡＰはまた、共通制御情報およびユーザ別割り当て情報などの他の制御シグナリングをＳＴＡに通知するべきである。
【先行技術文献】
【非特許文献】
【０００５】
【非特許文献１】IEEE802.11-15/0132r9, Specification Framework for TGax, September 2015
【非特許文献２】IEEE802.11-15/1066r0, HE-SIG-B Contents, September 2015
【非特許文献３】IEEE Std 802.11ac-2013
【非特許文献４】IEEE802.11-15/0132r15, Specification Framework for TGax, January 2016
【非特許文献５】IEEE802.11-16/0024r0, Proposed TGax Draft Specification, January 2016
【発明の概要】
【発明が解決しようとする課題】
【０００６】
周波数スケジューリングの柔軟性が高まるにつれて、ＳＴＡに制御シグナリング（すなわち、共通制御情報、リソース割り当て情報およびユーザ別割り当て情報）を通知するためにより多くのシグナリングビットが必要とされる。この結果として、制御シグナリングを通知するためのオーバーヘッドが増加する。したがって、周波数スケジューリングの柔軟性と制御シグナリングを通知するためのオーバーヘッドとの間にはトレードオフの関係がある。課題は、制御シグナリングを通知するためのオーバーヘッドの増加を低減しながら、柔軟な周波数スケジューリングをいかに達成するかである。
【課題を解決するための手段】
【０００７】
１つの一般的な態様において、本明細書で開示される技術は、本開示の送信装置を特徴とし、送信装置は、動作時に、レガシープリアンブル、非レガシープリアンブル、およびデータフィールドを含む送信信号を生成する送信信号生成部であって、非レガシープリアンブルは、第１の信号フィールドおよび第２の信号フィールドを含み、第２の信号フィールドは、異なる周波数サブバンドに位置する第１のチャネルフィールドおよび第２のチャネルフィールドを含み、第１のチャネルフィールドおよび第２のチャネルフィールドの各々は、１つまたは複数の端末局に関するリソースユニット（ＲＵ）割り当て情報を搬送する共通フィールドと、１つまたは複数の端末局に関するユーザ別割り当て情報を搬送するユーザ固有フィールドと、を含み、パディングビットが付加される前に、第１のチャネルフィールドおよび第２のチャネルフィールドのうちのいずれかの、他方のチャネルフィールドよりも長い一方のチャネルフィールドのユーザ固有フィールドの一部が、他方のチャネルフィールドに移転される、送信信号生成部と、動作中に、生成された送信信号を送信する送信部と、を備える。
【０００８】
一般的なまたは特定の開示は、システム、方法、集積回路、コンピュータプログラム、記憶媒体、またはそれらの任意の選択的組み合わせとして実装され得ることに留意されたい。
【０００９】
本開示の送信装置および送信方法によれば、制御シグナリングを通知するためのオーバーヘッドの増加を抑制しつつ、柔軟な周波数スケジューリングを促進することができる。
【００１０】
本開示の実施形態における更なる利点および効果は、明細書および図面から明らかにされる。かかる利点および／又は効果は、いくつかの実施形態並びに明細書および図面に記載された特徴によってそれぞれ提供されるが、１つ又はそれ以上の同一の特徴を得るために必ずしも全てが提供される必要はない。
【図面の簡単な説明】
【００１１】
【図１】ＩＥＥＥ  ８０２．１１ａｘ仕様フレームワーク文書に準拠するＨＥパケットのフォーマットを示す図
【図２】ＣＢＷ＝４０ＭＨｚの場合のＨＥパケットのＨＥデータフィールドのＯＦＤＭＡ構造の一例を示す図
【図３】ＣＢＷ＝４０ＭＨｚの場合のＨＥパケットのＨＥ−ＳＩＧ−Ｂの構造の一例を示す図
【図４】ＣＢＷ＝４０ＭＨｚの場合のＨＥパケットのＨＥ−ＳＩＧ−Ｂのフォーマットの一例を示す図
【図５】ＣＢＷ＝４０ＭＨｚの場合のＨＥパケットのＨＥ−ＳＩＧ−Ｂのフォーマットの別の例を示す図
【図６】本開示の第１の実施形態に係るＣＢＷ＝４０ＭＨｚの場合のＨＥパケットのＨＥ−ＳＩＧ−Ｂのフォーマットの一例を示す図
【図７】本開示の第２の実施形態に係るＣＢＷ＝４０ＭＨｚの場合のＨＥパケットのＨＥ−ＳＩＧ−Ｂのフォーマットの一例を示す図
【図８】本開示の第３の実施形態に係るＣＢＷ＝４０ＭＨｚの場合のＨＥパケットのＨＥ−ＳＩＧ−Ｂのフォーマットの一例を示す図
【図９】本開示の第４の実施形態に係るＣＢＷ＝４０ＭＨｚの場合のＨＥパケットのＨＥ−ＳＩＧ−Ｂのフォーマットの一例を示す図
【図１０】本開示の第５の実施形態に係るＣＢＷ＝４０ＭＨｚの場合のＨＥパケットのＨＥ−ＳＩＧ−Ｂのフォーマットの一例を示す図
【図１１】本開示の第６の実施形態に係るＣＢＷ＝４０ＭＨｚの場合のＨＥパケットのＨＥ−ＳＩＧ−Ｂのフォーマットの一例を示す図
【図１２】本開示に係るＡＰの構成例を示すブロック図
【図１３】本開示に係るＳＴＡの構成例を示すブロック図
【発明を実施するための形態】
【００１２】
本開示の様々な実施形態を、ここで添付の図面を参照して詳細に説明する。以下の説明において、既知の機能および構成の詳細な説明は、明瞭かつ簡潔にするために省略されている。
【００１３】
＜本開示の基礎＞
図１は、ＩＥＥＥ  ８０２．１１ａｘ仕様フレームワーク文書に準拠する高効率（ＨＥ：Ｈｉｇｈ  Ｅｆｆｉｃｉｅｎｃｙ）パケット１００のフォーマットを示す。ＨＥパケット１００は、レガシーショートトレーニングフィールド（Ｌ−ＳＴＦ）１０２、レガシーロングトレーニングフィールド（Ｌ−ＬＴＦ）１０４およびレガシー信号フィールド（Ｌ−ＳＩＧ）１０６を含むレガシープリアンブルと、繰り返しＬ−ＳＩＧフィールド（ＲＬ−ＳＩＧ）１０８、第１のＨＥ信号フィールド（ＨＥ−ＳＩＧ−Ａ）１１０、第２のＨＥ信号フィールド（ＨＥ−ＳＩＧ−Ｂ）１１２、ＨＥショートトレーニングフィールド（ＨＥ−ＳＴＦ）１１４、およびＨＥロングトレーニングフィールド（ＨＥ−ＬＴＦ）１１６を含むＨＥプリアンブルと、ＨＥデータフィールド１２０とを含む。
【００１４】
レガシープリアンブル（１０２，１０４，１０６）は、従来の８０２．１１ａ／ｇ／  ｎ／ａｃ規格との下位互換性を促進するために使用される。Ｌ−ＳＴＦ  １０２およびＬ−ＬＴＦ  １０４は、主に、パケット検出、自動利得制御（ＡＧＣ）設定、周波数オフセット推定、時間同期およびチャネル推定に使用される。ＨＥプリアンブル内のＲＬ−ＳＩＧ  １０８と共に、Ｌ−ＳＩＧ  １０６は、ＨＥパケット１００をレガシー８０２．１１ａ／ｇ／ｎ／ａｃパケットから区別するのを助けるために使用される。
【００１５】
ＨＥプリアンブル内のＨＥ−ＳＩＧ−Ａ  １１０は、ＨＥパケット１００の残りのフィールド、例えばＣＢＷ（チャネル帯域幅（Ｃｈａｎｎｅｌ  Ｂａｎｄｗｉｄｔｈ））、ＨＥ−ＳＩＧ−Ｂシンボルの数およびＨＥ−ＳＩＧ−Ｂ  １１２に用いられるＭＣＳ（変調符号化方式（Ｍｏｄｕｌａｔｉｏｎ  ａｎｄ  Ｃｏｄｉｎｇ  Ｓｃｈｅｍｅ））を解釈するために必要とされる共通制御情報を搬送する。
【００１６】
ＨＥプリアンブル内のＨＥ−ＳＩＧ−Ｂ  １１２は、特に、下りリンク（ＤＬ：ｄｏｗｎｌｉｎｋ）マルチユーザ（ＭＵ：ｍｕｌｔｉｕｓｅｒ）送信のために、指定された受信ＳＴＡに対するリソース割り当て情報およびユーザ別割り当て情報を含む。ＨＥ−ＳＩＧ−Ｂ  １１２は、単一ユーザ（ＳＵ：ｓｉｎｇｌｅ  ｕｓｅｒ）送信または上りリンク（ＵＬ：ｕｐｌｉｎｋ）ＭＵ送信に使用されることを意図する場合には、ＨＥパケット１００には存在しない。ＵＬ  ＭＵ送信については、指定された送信ＳＴＡのためのリソース割り当て情報およびユーザ別割り当て情報がＡＰにおいて予め設定され、指定された送信ＳＴＡにＡＰによってトリガフレーム内で送信される。
【００１７】
ＨＥプリアンブル内のＨＥ−ＳＴＦ  １１４は、ＡＧＣをリセットするために使用され、ＡＤＣ（アナログ  −  デジタル変換器）に対するダイナミックレンジ要件を低減する。ＨＥプリアンブル内のＨＥ−ＬＴＦ  １１６は、ＨＥデータフィールド１２０を受信して等化するためのＭＩＭＯ（多入力多出力（Ｍｕｌｔｉｐｌｅ  Ｉｎｐｕｔ  Ｍｕｌｔｉｐｌｅ  Ｏｕｔｐｕｔ））チャネル推定のために提供される。
【００１８】
ＨＥデータフィールド１２０は、１つまたは複数のＳＴＡに対するペイロードを搬送する。ＳＵ送信に関する特定のＳＴＡまたはＭＵ−ＭＩＭＯ送信に関するＳＴＡの特定のグループに関して、ペイロードは、複数のＯＦＤＭシンボルにわたるＲＵの単位で、指定されたリソース上で搬送される。ＲＵは、ＲＵ当たりの構成サブキャリアの数に応じて異なるタイプを有することができる。ＨＥデータフィールド１２０内のＯＦＤＭシンボルは、１２．８μｓのＤＦＴ（離散フーリエ変換（Ｄｉｓｃｒｅｔｅ  Ｆｏｕｒｉｅｒ  Ｔｒａｎｓｆｏｒｍ））期間および７８．１２５ｋＨｚのサブキャリア間隔を使用すべきである。ＯＦＤＭシンボル当たりのサブキャリアの数は、ＣＢＷの値に依存する。例えば、ＣＢＷ＝４０ＭＨｚの場合、ＯＦＤＭシンボルあたりのサブキャリア数は５１２である。したがって、特定のタイプのＲＵについて、ＯＦＤＭシンボルあたりのＲＵの最大数はＣＢＷのサイズにも依存する。
【００１９】
図２は、ＣＢＷ＝４０ＭＨｚの場合のＨＥパケット１００のＨＥデータフィールド１２０のＯＦＤＭＡ構造の一例を示す。タイプＩ  ＲＵは、２６の連続するトーンを含み、約２ＭＨｚの帯域幅を有する。タイプＩＩ  ＲＵは、５２の連続するトーンを含み、約４．１ＭＨｚの帯域幅を有する。タイプＩＩＩ  ＲＵは、１０６の連続するトーンを含み、約８．３ＭＨｚの帯域幅を有する。タイプＩＶ  ＲＵは、２４２の連続トーンを含み、約１８．９ＭＨｚの帯域幅を有する。タイプＶ  ＲＵは、４８４の連続トーンを含み、約３７．８ＭＨｚの帯域幅を有する。４０ＭＨｚのＯＦＤＭＡがサポートすることができるタイプＩ  ＲＵ、タイプＩＩ  ＲＵ、タイプＩＩＩ  ＲＵ、タイプＩＶ  ＲＵおよびタイプＶ  ＲＵの最大数は、それぞれ１８，８，４，２、および１である。異なるタイプのＲＵの混合も、４０ＭＨｚ  ＯＦＤＭＡに収容することができる。
【００２０】
Ｌ−ＳＴＦ  １０２、Ｌ−ＬＴＦ  １０４、Ｌ−ＳＩＧ  １０６、ＲＬ−ＳＩＧ  １０８、ＨＥ−ＳＩＧ−Ａ  １１０、ＨＥ−ＳＩＧ−Ｂ  １１２、ＨＥ−ＳＴＦ  １１４、ＨＥ−ＬＴＦ  １１６、およびＨＥデータフィールド１２０の送信処理の詳細は、ＩＥＥＥ  ８０２．１１ａｘ仕様フレームワーク文書に見出すことができる。
【００２１】
特に、ＨＥ−ＳＩＧ−Ｂ  １１２は、２０ＭＨｚサブバンド毎に符号化される。ＣＢＷ＝４０ＭＨｚ、８０ＭＨｚ、１６０ＭＨｚまたは８０  ＋  ８０ＭＨｚの場合、異なる内容を搬送する２０ＭＨｚサブバンドの数は２である。ＨＥ−ＳＩＧ−Ｂシンボルは、３．２μｓのＤＦＴ期間および３１２．５ｋＨｚのサブキャリア間隔を使用すべきである。ＨＥ−ＳＩＧ−Ｂシンボル当たりのデータサブキャリアの数は５２である。
【００２２】
図３は、ＣＢＷ＝４０ＭＨｚの場合のＨＥパケット１００のＨＥ−ＳＩＧ−Ｂ  １１２の構造の一例を示す。ＨＥ−ＳＩＧ−Ｂ  １１２は、異なる周波数サブバンドチャネルを使用する２つのチャネルフィールド、すなわち、ＨＥ−ＳＩＧ−Ｂ１  ３０２およびＨＥ−ＳＩＧ−Ｂ２  ３０４を含む。ＨＥ−ＳＩＧ−Ｂ１  ３０２は第１の２０ＭＨｚサブバンドチャネル３２２を介して送信され、一方で、ＨＥ−ＳＩＧ−Ｂ２  ３０４は第２の２０ＭＨｚサブバンドチャネル３２４を介して送信される。
【００２３】
２０ＭＨｚのサブバンドチャネル内に完全に位置する１つの割り当てに関するリソース割り当て情報およびユーザ別割り当て情報は、２つのＨＥ−ＳＩＧ−Ｂチャネルフィールドのうちの１つにおいて搬送され、同じ２０ＭＨｚのサブバンドチャネルを介して送信される。より詳細には、ＨＥ−ＳＩＧ−Ｂ１  ３０２は、第１の２０ＭＨｚサブバンドチャネル３２２内に完全に配置された配分（例えば、３１２）のためのリソース割り当て情報およびユーザ別割り当て情報を搬送し、一方で、ＨＥ−ＳＩＧ−Ｂ２  ３０４は、第２の２０ＭＨｚサブバンドチャネル３２４内に完全に配置された配分（例えば、３１４）のためのリソース割り当て情報およびユーザ別割り当て情報を搬送する。このようにして、たとえ２０ＭＨｚのサブバンドチャネル（例えば３２２）における制御シグナリングが干渉に起因して損なわれたとしても、もう一方の２０ＭＨｚサブバンドチャネル（例えば、３２４）における制御シグナリングは適切に復号することができる。
【００２４】
図４は、ＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド４１０とユーザ固有フィールド４５０とを含む。各共通フィールド４１０は、各々が所定の長さを有するリソース配分サブフィールド４１２、ＣＲＣ（周期的冗長検査（Ｃｙｃｌｉｃ  Ｒｅｄｕｎｄａｎｃｙ  Ｃｈｅｃｋ））サブフィールドおよびテールビットサブフィールドを含む。
【００２５】
ＨＥ−ＳＩＧ−Ｂ１  ３０２において、リソース配分サブフィールド４１２は、第１の２０ＭＨｚサブバンドチャネル３２２についての周波数領域（ＭＵ−ＭＩＭＯ関連情報を含む）における特定のＲＵ配置パターンを示すＲＵ配置パターンインデックスを含む。ＲＵ配置パターンインデックスと対応するＲＵ配置パターンとのマッピングは予め定められている。ＲＵ配置パターンインデックスと対応するＲＵ配置パターンとのマッピングの一例が表１に示されている。ＲＵは、２０ＭＨｚのサブバンドチャネル内で周波数領域においてより低い周波数から高い周波数へと配置され、タイプＩ  ＲＵおよびタイプＩＩ  ＲＵは、ＳＵ−ＭＩＭＯ送信にのみ使用することができることに留意されたい。
【表１】
2019507529.tif 000003
【００２６】
表１を参照すると、例えば、ＨＥ−ＳＩＧ−Ｂ１  ３０２に含まれるリソース配分サブフィールド４１２−１は、第１の２０ＭＨｚサブバンドチャネルの特定のＲＵ配置パターンを示すために２５のＲＵ配置パターンインデックスを含むことができ、ここで、周波数領域において５つのタイプＩ  ＲＵに１つのタイプＩＩＩ  ＲＵが後続し、５つのタイプＩ  ＲＵの各々はＳＵ−ＭＩＭＯ送信に使用され、一方で、タイプＩＩＩ  ＲＵは、２人のユーザが多重化されているＭＵ−ＭＩＭＯ送信に使用される。同様に、ＨＥ−ＳＩＧ−Ｂ２  ３０４において、リソース配分サブフィールド４１２−２は、第２の２０ＭＨｚサブバンドチャネル３２４についての周波数領域における特定のＲＵ配置パターンを示す別のＲＵ配置パターンインデックスおよびＭＵ−ＭＩＭＯ関連情報を含むことができる。
【００２７】
各ユーザ固有フィールド４５０は、複数のＢＣＣ（２値畳み込み符号化（Ｂｉｎａｒｙ  Ｃｏｎｖｏｌｕｔｉｏｎａｌ  Ｃｏｄｉｎｇ））ブロックを含む。最後のＢＣＣブロックを除く各ＢＣＣブロックは、各々が所定の長さを有する第１のユーザ固有サブフィールドと、第２のユーザ固有サブフィールドと、ＣＲＣサブフィールドと、テールビットサブフィールドとを含む。最後のＢＣＣブロックは、単一のユーザ固有サブフィールドを含むことができる。ユーザ固有フィールド４５０内のユーザ固有サブフィールドの各々は、ユーザ別割り当て情報（例えば、アドレス指定のためのＳＴＡ識別子、および空間ストリームの数およびＭＣＳのようなユーザ固有の送信パラメータなど）を搬送する。ＳＵ−ＭＩＭＯ送信のために割り当てられた各ＲＵについて、対応するユーザ固有サブフィールドは１つしかない。Ｋ人のユーザが多重化されたＭＵ−ＭＩＭＯ送信に割り当てられた各ＲＵに対して、Ｋ個の対応するユーザ固有サブフィールドが存在する。１つのＨＥ−ＳＩＧ−Ｂチャネルフィールドのユーザ固有フィールド４５０におけるユーザ固有サブフィールドの順序は、同じＨＥ−ＳＩＧ−Ｂチャネルのリソース配分サブフィールド４１２によってシグナリングされるＲＵ配置パターンに準拠する。１つのＨＥ−ＳＩＧ−Ｂチャネルのユーザ固有フィールド４５０におけるユーザ固有サブフィールドの数は、同じＨＥ−ＳＩＧ−Ｂチャネルのリソース配分サブフィールド４１２から導き出すことができる。
【００２８】
ＨＥ−ＳＩＧ−Ｂ１  ３０２および／またはＨＥ−ＳＩＧ−Ｂ２  ３０４の最後には、ＨＥ−ＳＩＧ−Ｂ１  ３０２とＨＥ−ＳＩＧ−Ｂ２  ３０４との間で最後のシンボルを位置合わせし、同じ継続時間を維持するために、パディングビットを付加することができることに留意されたい。
【００２９】
しかしながら、２つのＨＥ−ＳＩＧ−Ｂチャネルフィールド３０２と３０４との間に重大な負荷不均衡が存在する場合がある（すなわち、パディングビットを付加する前の長さにおいて、１つのＨＥ−ＳＩＧ−Ｂチャネルフィールドが、他方のＨＥ−ＳＩＧ−Ｂチャネルフィールドよりもはるかに長くなる場合がある）。図５の例では、それぞれ６人のユーザが多重化されたＭＵ−ＭＩＭＯ送信、ＳＵ−ＭＩＭＯ送信および７人のユーザが多重化されたＭＵ−ＭＩＭＯ送信に使用される、第１の２０ＭＨｚサブバンドチャネル３２２にわたる３つの配分がある。ここで、各ＢＣＣブロックは、２つのユーザ固有サブフィールドを含む。したがって、ＨＥ−ＳＩＧ−Ｂ１  ３０２のユーザ固有サブフィールド数Ｎｕｓｓ，１およびＢＣＣブロック数Ｎｂｌｋ，１は、それぞれ１４および７である。他方、第２の２０ＭＨｚサブバンドチャネル３２４にわたっては６つの配分があり、それらの各々がＳＵ−ＭＩＭＯ送信に使用される。したがって、ＨＥ−ＳＩＧ−Ｂ２  ３０４のユーザ固有サブフィールド数Ｎｕｓｓ，２およびＢＣＣブロック数Ｎｂｌｋ，２は、それぞれ６および３である。各共通フィールド５１０は、Ｌｃｆ＝２２ビットの長さを有し、各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有し、かつ、ＨＥ−ＳＩＧ−Ｂ  １１２に使用されるＭＣＳは、ＨＥ−ＳＩＧ−Ｂシンボル当たりデータビット数ＮＤＢＰＳが５２であるＶＨＴ−ＭＣＳ１（ＩＥＥＥ  ８０２．１１ａｃ規格参照）である、と仮定する。
【００３０】
したがって、この例のＨＥ−ＳＩＧ−Ｂシンボルの数Ｎｓｙｍは８であり、これは以下の式（１）によって計算することができる。
【数１】
2019507529.tif 000004
【００３１】
式中、
【数２】
2019507529.tif 000005
はｘ以上の最小の整数を表し、以下が成り立つ。
【数３】
2019507529.tif 000006
【００３２】
この例では、ＨＥ−ＳＩＧ−Ｂ１  ３０２とＨＥ−ＳＩＧ−Ｂ２  ３０４との間で同じ継続時間を維持するために、ＨＥ−ＳＩＧ−Ｂ２  ３０４の最後にいくつかのパディングシンボルを付加する必要がある。一方のＨＥ−ＳＩＧ−Ｂチャネルフィールドが他方のＨＥ−ＳＩＧ−Ｂチャネルフィールドよりもはるかに長い場合には、他方のＨＥ−ＳＩＧ−Ｂチャネルフィールドにかなりの数のパディングシンボルが必要であり、結果として制御シグナリングを通知するための相当のオーバーヘッドをもたらし、チャネル効率を損なうと結論づけることができる。
【００３３】
次に、ＨＥ−ＳＩＧ−Ｂ  １１２のフォーマットの様々な実施形態をさらに詳細に説明する。これは、制御シグナリングを通知するためのオーバーヘッドを低減し、チャネル効率を大幅に改善することができる。
【００３４】
本開示の第１の態様によれば、ＨＥ−ＳＩＧ−Ｂシンボルの数が最小になるように、パディングビットが付加される前に他方のＨＥ−ＳＩＧ−Ｂチャネルフィールドよりも長い一方のＨＥ−ＳＩＧ−Ｂチャネルフィールドのユーザ固有フィールドの一部が、他方のＨＥ−ＳＩＧ−Ｂチャネルフィールドに移転される。したがって、制御シグナリングを通知するためのオーバーヘッドが低減され、チャネル効率が改善される。ユーザ固有フィールドの移転部分は、他方のＨＥ−ＳＩＧ−Ｂチャネルフィールドの所定の位置に配置される。ユーザ固有フィールドの移転部分は、ユーザ固有フィールドの他の部分を送信するために使用されるものよりもロバストな送信方式を使用して送信することができる。その結果、ＳＴＡは、他方のＨＥ−ＳＩＧ−Ｂチャネルフィールドが干渉に起因してチャネル品質が悪い場合でも、適切にユーザ固有フィールドの移転部分を復号することができる。
【００３５】
＜第１の実施形態＞
本開示の第１の態様によれば、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに移転される。この移転によって、ＨＥ−ＳＩＧ−Ｂシンボルの数が最小限に抑えられる。したがって、制御シグナリングを通知するためのオーバーヘッドが低減され、チャネル効率が改善される。
【００３６】
他方のＨＥ−ＳＩＧ−Ｂチャネルフィールドが干渉に起因して劣悪なチャネル品質を有する場合、対応するＢＣＣブロックが他方のＨＥ−ＳＩＧ−Ｂチャネルに移転されるＳＴＡは、他方のＨＥ−ＳＩＧ−Ｂチャネルフィールドにおけるリソース配分シグナリングを適切に復号することができない場合があり、したがって、他方のＨＥ−ＳＩＧ−Ｂチャネルフィールドの元のＢＣＣブロックの数を決定することはできない。この場合、移転ＢＣＣブロックが、他方のＨＥ−ＳＩＧ−Ｂチャネルフィールドの元のＢＣＣブロックの直後に位置する場合、ＳＴＡは、移転ＢＣＣブロックの開始を判断して適切に復号することができない。
【００３７】
本開示の第１の実施形態によれば、移転ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。移転ＢＣＣブロックは、他方のＨＥ−ＳＩＧ−Ｂチャネルフィールドで１回以上複製されてもよい。その結果、他方のＨＥ−ＳＩＧ−Ｂチャネルフィールドが干渉に起因してチャネル品質が悪い場合でも、ＳＴＡは依然として、移転ＢＣＣブロックを適切に復号することができる。
【００３８】
本開示の第１の実施形態によれば、移転ＢＣＣブロックの数Ｎｒｂｌｋは、以下の式（３）によって計算することができる。
【数４】
2019507529.tif 000007
【００３９】
ここでＲは繰り返し係数であり、
【数５】
2019507529.tif 000008
は、ｘ以下の最大の整数を表す。
【００４０】
図６は、本開示の第１の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド６１０とユーザ固有フィールド６５０とを含む。各共通フィールド６１０は、リソース配分サブフィールド、移転ＢＣＣブロック数サブフィールド６１４、繰り返しサブフィールド６１６、ＣＲＣサブフィールドおよびテールビットサブフィールドを含む。一方のＨＥ−ＳＩＧ−Ｂチャネルフィールドの移転ＢＣＣブロック数サブフィールド６１４は、所定の長さを有し、そのＨＥ−ＳＩＧ−Ｂチャネルフィールドから他方のＨＥ−ＳＩＧ−Ｂチャネルフィールドへと移転されているＢＣＣブロックの数を示す。一方のＨＥ−ＳＩＧ−Ｂチャネルの繰り返しサブフィールド６１６は、所定の長さを有し、他方のＨＥ−ＳＩＧ−Ｂチャネルフィールドにおいて移転ＢＣＣブロックが何回複製されたかを示す（すなわち、繰り返し係数Ｒの値を示す）。一方のＨＥ−ＳＩＧ−Ｂチャネルフィールドの移転ＢＣＣブロック数サブフィールド６１４と繰り返しサブフィールド６１６の両方に基づいて、ＳＴＡは、他方のＨＥ−ＳＩＧ−Ｂチャネルフィールドにおける移転ＢＣＣブロックの開始を決定し、繰り返し係数Ｒが１より大きい場合、移転ＢＣＣブロック上でＭＲＣ（最大比合成（Ｍａｘｉｍｕｍ  Ｒａｔｉｏ  Ｃｏｍｂｉｎｉｎｇ））を行い、それらを適切に復号することができる。
【００４１】
図６が図５と同じリソース割り当てに基づいているとすると、ＨＥ−ＳＩＧ−Ｂ１  ３０２のユーザ固有サブフィールド数Ｎｕｓｓ，１およびＢＣＣブロックの数Ｎｂｌｋ，１は、それぞれ１４および７である。ＨＥ−ＳＩＧ−Ｂ２  ３０４のユーザ固有サブフィールドの数Ｎｕｓｓ，２およびＢＣＣブロックの数Ｎｂｌｋ，２は、それぞれ６および３である。下記であるものとする。
・各共通フィールド６１０は、Ｌｃｆ＝２２ビットの長さを有する；
・各ユーザ固有サブフィールドは、Ｌｕｓｓ＝２２ビットの長さを有する；
・２つのユーザ固有サブフィールドを含む各ＢＣＣブロックは、Ｌｂｌｋ＝５４ビットの長さを有する；
・ＨＥ−ＳＩＧ−Ｂ  １１２に使用されるＭＣＳは、ＮＤＢＰＳ＝５２であるＶＨＴ−ＭＣＳ１である；かつ、
・繰り返し係数Ｒ＝２である。
【００４２】
式（３）からＮｒｂｌｋ＝１を導出することは容易である。したがって、ＨＥ−ＳＩＧ−Ｂシンボルの数Ｎｓｙｍは７になり、これは以下の式（４）によって計算することができる。
【数６】
2019507529.tif 000009
【００４３】
式中、以下が成り立つ。
【数７】
2019507529.tif 000010
【００４４】
言い換えれば、同じリソース配分に基づいて、第１の実施形態は、必要とするＨＥ−ＳＩＧ−Ｂシンボルを従来技術よりも少なくすることができる。
【００４５】
図６の例では、ＨＥ−ＳＩＧ−Ｂ１  ３０２内の移転ＢＣＣブロック数サブフィールド６１４−１は、単一の移転ＢＣＣブロックを示すべきであり、ＨＥ−ＳＩＧ−Ｂ１  ３０２内の繰り返しサブフィールド６１６−１は、移転ＢＣＣブロックが一度複製される（すなわち、繰り返し係数Ｒ＝２）ことを示すべきであり、一方で、ＨＥ−ＳＩＧ−Ｂ２  ３０４内の移転ＢＣＣブロック数サブフィールド６１４−２は、移転ＢＣＣブロックが存在しないことを示すべきであることに留意されたい。
【００４６】
本開示の第１の実施形態によれば、それぞれの共通フィールド６１０においてＨＥ−ＳＩＧ−Ｂ１  ３０２およびＨＥ−ＳＩＧ−Ｂ２  ３０４の移転ＢＣＣブロックの数および繰り返し係数Ｒの値をシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の移転ＢＣＣブロックの数および繰り返し係数Ｒがシグナリングされてもよい。
【００４７】
＜第２の実施形態＞
本開示の第２の実施形態によれば、ＨＥ−ＳＩＧ−Ｂシンボルの数が最小化されるように、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに移転される。したがって、制御シグナリングを通知するためのオーバーヘッドが低減され、チャネル効率が改善される。
【００４８】
本開示の第２の実施形態によれば、移転ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。移転ＢＣＣブロックは、他方のＢＣＣブロックに使用されるＭＣＳよりもロバストなＭＣＳによって送信することができる。その結果、他方のＨＥ−ＳＩＧ−Ｂチャネルフィールドが干渉に起因してチャネル品質が悪い場合でも、ＳＴＡは依然として、移転ＢＣＣブロックを適切に復号することができる。
【００４９】
本開示の第２の実施形態によれば、移転ＢＣＣブロックの数Ｎｒｂｌｋ  は、以下の式（６）によって計算することができる。
【数８】
2019507529.tif 000011
【００５０】
式中、ＮＤＢＰＳ，ｒｂｌｋは、移転ＢＣＣブロックのシンボルあたりのデータビット数であり、ＮＤＢＰＳ，ｏｂｌｋは、その他のＢＣＣブロックのシンボルあたりのデータビット数である。
【００５１】
図７は、本開示の第２の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルフィールドの各々は、共通フィールド７１０とユーザ固有フィールド７５０とを含む。各共通フィールド７１０は、リソース配分サブフィールド、移転ＢＣＣブロック数サブフィールド７１４、移転ＢＣＣブロックＭＣＳサブフィールド７１６、ＣＲＣサブフィールドおよびテールビットサブフィールドを含む。一方のＨＥ−ＳＩＧ−Ｂチャネルフィールドの移転ＢＣＣブロック数サブフィールド７１４は、所定の長さを有し、そのＨＥ−ＳＩＧ−Ｂチャネルフィールドから他方のＨＥ−ＳＩＧ−Ｂチャネルフィールドへと移転されているＢＣＣブロックの数を示す。一方のＨＥ−ＳＩＧ−Ｂチャネルフィールドの移転ＢＣＣブロックＭＣＳサブフィールド７１６は、所定の長さを有し、他方のＨＥ−ＳＩＧ−Ｂチャネル内の移転ＢＣＣブロックに使用されるＭＣＳを示す。移転ＢＣＣブロック以外のＨＥ−ＳＩＧ−Ｂ  １１２内のＢＣＣブロックに使用されるＭＣＳは、ＨＥ−ＳＩＧ−Ａ  １１０内で示すことができることに留意されたい。一方のＨＥ−ＳＩＧ−Ｂチャネルフィールドの移転ＢＣＣブロック数サブフィールド７１４と移転ＢＣＣブロックＭＣＳサブフィールド７１６の両方に基づいて、ＳＴＡは、他方のＨＥ−ＳＩＧ−Ｂチャネルフィールドにおける移転ＢＣＣブロックの開始を決定し、それらを適切に復号することができる。
【００５２】
図７が図５および図６と同じリソース配分に基づいているとすると、ＨＥ−ＳＩＧ−Ｂ１  ３０２のユーザ固有サブフィールドの数Ｎｕｓｓ，１およびＢＣＣブロックの数Ｎｂｌｋ，１は、それぞれ１４および７であり、一方で、ＨＥ−ＳＩＧ−Ｂ２  ３０４のユーザ固有サブフィールドの数Ｎｕｓｓ，２およびＢＣＣブロックの数Ｎｂｌｋ，２は、それぞれ６および３である。下記であるものとする。
・各共通フィールド７１０は、Ｌｃｆ＝２２ビットの長さを有する；
・各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する；
・移転ＢＣＣブロックに使用されるＭＣＳは、ＮＤＢＰＳ，  ｒｂｌｋ＝２６であるＶＨＴ−ＭＣＳ０である；かつ、
・その他のＢＣＣブロックに使用されるＭＣＳは、ＮＤＢＰＳ，ｏｂｌｋ＝５２であるＶＨＴ−ＭＣＳ１である。
【００５３】
式（６）からＮｒｂｌｋ＝１を導出することは容易である。したがって、ＨＥ−ＳＩＧ−Ｂシンボルの数Ｎｓｙｍ  は７になり、これは以下の式（７）によって計算することができる。
【数９】
2019507529.tif 000012
【００５４】
式中、以下が成り立つ。
【数１０】
2019507529.tif 000013
【００５５】
言い換えれば、同じリソース配分に基づいて、第２の実施形態は、必要とするＨＥ−ＳＩＧ−Ｂシンボルを従来技術よりも少なくすることができる。
【００５６】
図７の例では、ＨＥ−ＳＩＧ−Ｂ１  ３０２内の移転ＢＣＣブロック数サブフィールド７１４−１は、単一の移転ＢＣＣブロックを示すべきであり、ＨＥ−ＳＩＧ−Ｂ１  ３０２内の移転ＢＣＣブロックＭＣＳサブフィールド７１６−１は、ＶＨＴ−ＭＣＳ０を示すべきであり、一方で、ＨＥ−ＳＩＧ−Ｂ２  ３０４内の移転ＢＣＣブロック数サブフィールド７１４−２は、移転ＢＣＣブロックが存在しないことを示すべきであることに留意されたい。
【００５７】
本開示の第２の実施形態によれば、それぞれの共通フィールド７１０においてＨＥ−ＳＩＧ−Ｂ１  ３０２およびＨＥ−ＳＩＧ−Ｂ２  ３０４の移転ＢＣＣブロックの数および移転ＢＣＣブロックのＭＣＳをシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の移転ＢＣＣブロックの数および移転ＢＣＣブロックのＭＣＳがシグナリングされてもよい。
【００５８】
＜第３の実施形態＞
本開示の第３の実施形態によれば、ＨＥ−ＳＩＧ−Ｂシンボルの数が最小化されるように、パディングビットを付加する前に他方のＨＥ−ＳＩＧ−Ｂチャネルフィールドよりも長い一方のＨＥ−ＳＩＧ−Ｂチャネルフィールドのユーザ固有フィールドの１つまたは複数の最後のＢＣＣブロックが、他方のＨＥ−ＳＩＧ−Ｂチャネルに移転される。したがって、制御シグナリングを通知するためのオーバーヘッドが低減され、チャネル効率が改善される。
【００５９】
本開示の第３の実施形態によれば、移転ＢＣＣブロックは、他方のＨＥ−ＳＩＧ−Ｂチャネルフィールドの所定の位置（例えば、他方のＨＥ−ＳＩＧ−Ｂチャネルフィールドの終端部）に配置される。移転ＢＣＣブロックは、他のＢＣＣブロックよりも高い電力で送信することができる。その結果、他方のＨＥ−ＳＩＧ−Ｂチャネルフィールドが干渉に起因してチャネル品質が悪い場合でも、ＳＴＡは依然として、移転ＢＣＣブロックを適切に復号することができる。しかし、移転ＢＣＣブロックの電力ブーストは、より高いＰＡＰＲ（ピーク対平均電力比（Ｐｅａｋ−ｔｏ−Ａｖｅｒａｇｅ  Ｐｏｗｅｒ  Ｒａｔｉｏ））をもたらす可能性がある。
【００６０】
本開示の第３の実施形態によれば、移転ＢＣＣブロックの数Ｎｒｂｌｋ  は、以下の式（９）によって計算することができる。
【数１１】
2019507529.tif 000014
【００６１】
図８は、本開示の第３の実施形態に係るＣＢＷ＝４０ＭＨｚの場合のＨＥパケット１００のＨＥ−ＳＩＧ−Ｂ  １１２のフォーマットの一例を示す。２つのＨＥ−ＳＩＧ−Ｂチャネルの各々は、共通フィールド８１０とユーザ固有フィールド８５０とを含む。各共通フィールド８１０は、リソース配分サブフィールド、移転ＢＣＣブロック数サブフィールド８１４、ＣＲＣサブフィールドおよびテールビットサブフィールドを含む。一方のＨＥ−ＳＩＧ−Ｂチャネルフィールドの移転ＢＣＣブロック数サブフィールド８１４は、所定の長さを有し、そのＨＥ−ＳＩＧ−Ｂチャネルフィールドから他方のＨＥ−ＳＩＧ−Ｂチャネルフィールドへと移転されているＢＣＣブロックの数を示す。一方のＨＥ−ＳＩＧ−Ｂチャネルフィールドの移転ＢＣＣブロック数サブフィールド８１４に基づいて、ＳＴＡは、他方のＨＥ−ＳＩＧ−Ｂチャネルフィールドにおける移転ＢＣＣブロックの開始を決定し、それらを適切に復号することができる。
【００６２】
図８が図５〜図７と同じリソース配分に基づいているとすると、ＨＥ−ＳＩＧ−Ｂ１  ３０２のユーザ固有サブフィールド数Ｎｕｓｓ，１およびＢＣＣブロックの数Ｎｂｌｋ，１は、それぞれ１４および７である。ＨＥ−ＳＩＧ−Ｂ２  ３０４のユーザ固有サブフィールドの数Ｎｕｓｓ，２およびＢＣＣブロックの数Ｎｂｌｋ，２は、それぞれ６および３である。下記であるものとする。
・各共通フィールド８１０は、Ｌｃｆ  ＝２２ビットの長さを有する；
・各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する；かつ、
・ＨＥ−ＳＩＧ−Ｂ  １１２に使用されるＭＣＳは、ＮＤＢＰＳ＝５２であるＶＨＴ−ＭＣＳ１である。
【００６３】
式（９）からＮｒｂｌｋ＝２を導出することは容易である。したがって、ＨＥ−ＳＩＧ−Ｂシンボルの数Ｎｓｙｍは６になり、これは以下の式（１０）によって計算することができる。
【数１２】
2019507529.tif 000015
【００６４】
式中、以下が成り立つ。
【数１３】
2019507529.tif 000016
【００６５】
言い換えれば、同じリソース配分に基づいて、第３の実施形態は、必要とするＨＥ−ＳＩＧ−Ｂシンボルを従来技術，第１の実施形態または第２の実施形態よりも少なくすることができる。
【００６６】
図８の例では、ＨＥ−ＳＩＧ−Ｂ１  ３０２内の移転ＢＣＣブロック数サブフィールド８１４−１は、単一の移転ＢＣＣブロックを示すべきであり、一方で、ＨＥ−ＳＩＧ−Ｂ２  ３０４内の移転ＢＣＣブロック数サブフィールド８１４−２は、移転ＢＣＣブロックが存在しないことを示すべきであることに留意されたい。
【００６７】
本開示の第３の実施形態によれば、それぞれの共通フィールド８１０においてＨＥ−ＳＩＧ−Ｂ１  ３０２およびＨＥ−ＳＩＧ−Ｂ２  ３０４の移転ＢＣＣブロックの数をシグナリングする代わりに、ＨＥ−ＳＩＧ−Ａ  １１０において、ＨＥ−ＳＩＧ−Ｂ１  ３０２およびＨＥ−ＳＩＧ−Ｂ２  ３０４の移転ＢＣＣブロックの数がシグナリングされてもよい。
【００６８】
本開示の最初の３つの実施形態によれば、２つのＨＥ−ＳＩＧ−Ｂチャネルフィールド（第２の実施形態における移転ＢＣＣブロックを除く）は、ＨＥ−ＳＩＧ−Ａ  １１０においてシグナリングされる同じＭＣＳを利用する。２つのＨＥ−ＳＩＧ−Ｂチャネルフィールドのこの共通のＭＣＳは、第１の２０ＭＨｚサブバンドチャネル３２２と第２の２０ＭＨｚサブバンドチャネル３２４の両方でスケジューリングされるすべてのＳＴＡが、許容可能な確率（例えば、９０％）でＨＥ−ＳＩＧ−Ｂ  １１２の復号に成功するように決定されるべきである。
【００６９】
本開示の第２の態様によれば、一方のＨＥ−ＳＩＧ−ＢチャネルフィールドのＭＣＳは、他方のＨＥ−ＳＩＧ−Ｂチャネルフィールドのために使用されるＭＣＳとは異なる場合がある。さらに、ＨＥ−ＳＩＧ−Ｂシンボルの数が最小化されるように、他方のＨＥ−ＳＩＧ−Ｂチャネルフィールドより長い一方のＨＥ−ＳＩＧ−Ｂチャネルフィールドに使用されるＭＣＳは、他方のＨＥ−ＳＩＧ−Ｂチャネルフィールドに使用されるＭＣＳよりもロバスト性を低くすることができる。したがって、制御シグナリングを通知するためのオーバーヘッドが低減され、チャネル効率が改善される。
【００７０】
＜第４の実施形態＞
本開示の第４の実施形態によれば、第１のＭＣＳおよび第２のＭＣＳが、それぞれＨＥ−ＳＩＧ−Ｂ１  ３０２およびＨＥ−ＳＩＧ−Ｂ２  ３０４に使用される。ＨＥ−ＳＩＧ−Ｂ１  ３０２の第１のＭＣＳは、第１の２０ＭＨｚサブバンドチャネル３２２内でスケジュールされるＳＴＡがＨＥ−ＳＩＧ−Ｂ１  ３０２の復号に成功する確率が許容可能である（例えば、９０％）ように決定されるべきである。同様に、ＨＥ−ＳＩＧ−Ｂ２  ３０４の第２のＭＣＳは、第２の２０ＭＨｚサブバンドチャネル３２４内でスケジュールされるＳＴＡがＨＥ−ＳＩＧ−Ｂ２  ３０４の復号に成功する確率が許容可能である（例えば、９０％）ように決定されるべきである。ＨＥ−ＳＩＧ−Ｂ１  ３０２に使用される第１のＭＣＳまたはＨＥ−ＳＩＧ−Ｂ２  ３０４に使用される第２のＭＣＳは、第１の２０ＭＨｚサブバンドチャネル３２２と第２の２０ＭＨｚサブバンドチャネル３２４の両方においてスケジューリングされるＳＴＡの一部分のみを考慮に入れるため、ＨＥ−ＳＩＧ−Ｂ１  ３０２に使用される第１のＭＣＳおよびＨＥ−ＳＩＧ−Ｂ２  ３０４に使用される第２のＭＣＳのうちの１つは、最初の３つの実施形態で使用される共通のＭＣＳよりもロバスト性を低くすることができる。最初の３つの実施形態と異なり、本開示の第４の実施形態によれば、ＨＥ−ＳＩＧ−Ｂ１  ３０２またはＨＥ−ＳＩＧ−Ｂ２  ３０４のいずれのＢＣＣブロックも移転する必要がないことに留意されたい。
【００７１】
本開示の第４の実施形態によれば、ＨＥ−ＳＩＧ−Ｂシンボルの数を示すシグナリングに加えて、ＨＥ−ＳＩＧ−Ａ  １１０には、ＨＥ−ＳＩＧ−Ｂ１  ３０２に使用される第１のＭＣＳおよびＨＥ−ＳＩＧ−Ｂ２  ３０４に使用される第２のＭＣＳを示すシグナリングが必要である。このようなシグナリングに基づいて、ＳＴＡは２つのＨＥ−ＳＩＧ−Ｂチャネルフィールドを適切に復号することができる。
【００７２】
本開示の第４の実施形態によれば、パディングビットを付加する前に、ＨＥ−ＳＩＧ−Ｂ１  ３０２がＨＥ−ＳＩＧ−Ｂ２  ３０４よりもはるかに長い（すなわち、ＨＥ−ＳＩＧ−Ｂ１  ３０２が、ＨＥ−ＳＩＧ−Ｂ２  ３０４よりもはるかに多いユーザ固有サブフィールドを含む）場合、ＨＥ−ＳＩＧ−Ｂ１  ３０２に使用される第１のＭＣＳは、ＨＥ−ＳＩＧ−Ｂ２  ３０４に使用される第２のＭＣＳよりロバスト性を低く設定することができ、これにより、ＨＥ−ＳＩＧ−Ｂシンボルの数が最小化される。したがって、制御シグナリングを通知するためのオーバーヘッドが低減され、チャネル効率が改善される。パディングビットを付加する前にＨＥ−ＳＩＧ−Ｂ２  ３０４がＨＥ−ＳＩＧ−Ｂ１  ３０２よりもはるかに長い場合、ＨＥ−ＳＩＧ−Ｂ２  ３０４に使用される第２のＭＣＳは、ＨＥ−ＳＩＧ−Ｂ１  ３０２に使用される第１のＭＣＳよりもロバスト性を低く設定することができ、これにより、ＨＥ−ＳＩＧ−Ｂシンボルの数が最小になり、チャネル効率が改善される。ＨＥ−ＳＩＧ−Ｂ２  ３０４の長さがＨＥ−ＳＩＧ−Ｂ１  ３０２と同程度である場合、ＨＥ−ＳＩＧ−Ｂ１  ３０２に使用される第１のＭＣＳは、ＨＥ−ＳＩＧ−Ｂ２  ３０４に使用される第２のＭＣＳと同じであるように設定することができる。
【００７３】
図９は、本開示の第４の実施形態に係るＣＢＷ＝４０ＭＨｚの場合のＨＥ−ＳＩＧ−Ｂ  １１２のフォーマットの一例を示す。２つのＨＥ−ＳＩＧ−Ｂチャネルの各々は、共通フィールド９１０とユーザ固有フィールド９５０とを含む。
【００７４】
図９が図５〜図８と同じリソース配分に基づいているとすると、ＨＥ−ＳＩＧ−Ｂ１  ３０２のユーザ固有サブフィールド数Ｎｕｓｓ，１およびＢＣＣブロックの数Ｎｂｌｋ，１  は、それぞれ１４および７である。ＨＥ−ＳＩＧ−Ｂ２  ３０４のユーザ固有サブフィールドの数Ｎｕｓｓ，２およびＢＣＣブロックの数Ｎｂｌｋ，２は、それぞれ６および３である。この例においてはパディングビットを付加する前にＨＥ−ＳＩＧ−Ｂ１  ３０２がＨＥ−ＳＩＧ−Ｂ２  ３０４よりもはるかに長いため、ＨＥ−ＳＩＧ−Ｂ１  ３０２に使用される第１のＭＣＳは、ＨＥ−ＳＩＧ−Ｂ２  ３０４に使用される第２のＭＣＳよりもロバスト性が低く設定され、これにより、ＨＥ−ＳＩＧ−Ｂシンボルの数が最小になる。例えば、ＨＥ−ＳＩＧ−Ｂ１  ３０２に使用される第１のＭＣＳは、ＶＨＴ−ＭＣＳ２に設定され、ここで、ＮＤＢＰＳ，１＝７８であり、ＨＥ−ＳＩＧ−Ｂ２  ３０４に使用される第２のＭＣＳは、ＶＨＴ−ＭＣＳ１に設定され、ここで、ＮＤＢＰＳ，２＝５２である。各共通フィールド９１０は、Ｌｃｆ＝２２ビットの長さを有する、各ユーザ固有サブフィールドは、Ｌｕｓｓ＝２２ビットの長さを有し、かつ、２つのユーザ固有サブフィールドを含む各ＢＣＣブロックは、Ｌｂｌｋ＝５４ビットの長さを有する、と仮定する。
【００７５】
したがって、ＨＥ−ＳＩＧ−Ｂシンボルの数Ｎｓｙｍは６になり、これは以下の式（１２）によって計算することができる。
【数１４】
2019507529.tif 000017
【００７６】
式中、以下が成り立つ。
【数１５】
2019507529.tif 000018
【００７７】
言い換えれば、同じリソース配分に基づいて、第４の実施形態は、必要とするＨＥ−ＳＩＧ−Ｂシンボルを従来技術，第１の実施形態または第２の実施形態よりも少なくすることができる。
【００７８】
本開示の第３の態様によれば、いくつかの特定のリソース配分については、２つのＨＥ−ＳＩＧ−Ｂチャネルフィールドの各々の共通フィールド（リソース配分シグナリングを含む）を無視することができ、これにより、ＨＥ−ＳＩＧ−Ｂシンボルの数が最小化される。したがって、制御シグナリングを通知するためのオーバーヘッドが低減され、チャネル効率が改善される。
【００７９】
＜第５の実施形態＞
本開示の第５の実施形態によれば、特定のタイプの単一のＲＵ（例えばタイプＩＶ  ＲＵ）が第１の２０ＭＨｚサブバンドチャネル３２２および第２の２０ＭＨｚサブバンドチャネル３２４の各々にわたって配分され、同じ数のユーザが第１の２０ＭＨｚサブバンドチャネル３２２および第２の２０ＭＨｚサブバンドチャネル３２４の各々においてスケジューリングされる場合、２つのＨＥ−ＳＩＧ−Ｂチャネルフィールドの各々はユーザ固有フィールドのみを含むことができ、これにより、ＨＥ−ＳＩＧ−Ｂシンボルの数が最小になる。したがって、制御シグナリングを通知するためのオーバーヘッドが低減され、チャネル効率が改善される。
【００８０】
図１０は、本開示の第５の実施形態に係るＣＢＷ＝４０ＭＨｚの場合のＨＥパケット１００のＨＥ−ＳＩＧ−Ｂ  １１２のフォーマットの一例を示す。この例では、６人のユーザが多重化されたＭＵ−ＭＩＭＯ送信に使用される単一のタイプＩＶ  ＲＵが、第１の２０ＭＨｚサブバンドチャネル３２２および第２の２０ＭＨｚサブバンドチャネル３２４の各々にわたって配分される。したがって、ＨＥ−ＳＩＧ−Ｂ１  ３０２およびＨＥ−ＳＩＧ−Ｂ２  ３０４の各々は、ユーザ固有フィールド１０５０のみを含む。ユーザ固有サブフィールドの数ＮｕｓｓおよびＨＥ−ＳＩＧ−ＢチャネルフィールドあたりのＢＣＣブロックの数Ｎｂｌｋは、それぞれ６および３である。下記であるものとする。
・各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する；かつ、
・ＨＥ−ＳＩＧ−Ｂ  １１２に使用されるＭＣＳは、ＮＤＢＰＳ＝５２であるＶＨＴ−ＭＣＳ１である。
【００８１】
したがって、ＨＥ−ＳＩＧ−Ｂシンボルの数Ｎｓｙｍ  は４であり、これは以下の式（１４）によって計算することができる。
【数１６】
2019507529.tif 000019
【００８２】
式中、以下が成り立つ。
【数１７】
2019507529.tif 000020
【００８３】
本開示の第５の実施形態によれば、ＨＥ−ＳＩＧ−Ｂシンボルの数およびＨＥ−ＳＩＧ−Ｂ  １１２に使用されるＭＣＳを示すシグナリングに加えて、特定のタイプの単一のＲＵが第１の２０ＭＨｚサブバンドチャネル３２２および第２の２０ＭＨｚサブバンドチャネル３２４の各々にわたって配分され、同じ数のユーザが第１の２０ＭＨｚサブバンドチャネル３２２および第２の２０ＭＨｚサブバンドチャネル３２４の各々においてスケジューリングされる特定のリソース配分の存在を示すシグナリングが、ＨＥ−ＳＩＧ−Ａ  １１０内に必要とされる。このようなシグナリングに基づいて、ＳＴＡはＨＥ−ＳＩＧ−Ｂ  １１２を適切に復号することができる。
【００８４】
本開示の第５の実施形態によれば、２つのＨＥ−ＳＩＧ−Ｂチャネル内にリソース配分シグナリングがないため、ＳＴＡは、ＨＥ−ＳＩＧ−ＢチャネルフィールドＮｕｓｓ当たりのユーザ固有サブフィールドの数を決定することができない場合がある。ＨＥ−ＳＩＧ−Ｂシンボルの数Ｎｓｙｍ、ＨＥ−ＳＩＧ−Ｂ  １１２に使用されるＭＣＳおよびαの値が与えられると、ＨＥ−ＳＩＧ−Ｂチャネルフィールド当たりのユーザ固有サブフィールドの数は、以下の式（１６）によって決定することができる。
【数１８】
2019507529.tif 000021
【００８５】
式中、以下が成り立つ。
【数１９】
2019507529.tif 000022
【００８６】
言い換えれば、ＳＴＡがＨＥ−ＳＩＧ−Ｂチャネルフィールド当たりのユーザ固有サブフィールドの数Ｎｕｓｓを決定するのを支援する目的で、ＨＥ−ＳＩＧ−Ａ  １１０において、αｉの値を示すために（すなわち、ＨＥ−ＳＩＧ−Ｂチャネルフィールド毎に偶数個のユーザ固有サブフィールドが存在するか否か、または等価的に、第１の２０ＭＨｚサブバンドチャネル３２２および第２の２０ＭＨｚサブバンドチャネル３２４の各々において偶数人のユーザがスケジューリングされているか否かを示すために）シグナリングが必要とされ得る。
【００８７】
＜第６の実施形態＞
本開示の第６の実施形態によれば、第１の２０ＭＨｚサブバンドチャネル３２２および第２の２０ＭＨｚサブバンドチャネル３２４をカバーする４０ＭＨｚ帯域幅全体がＭＵ−ＭＩＭＯ送信に配分される場合、２つのＨＥ−ＳＩＧ−Ｂチャネルフィールドの各々は、ユーザ固有フィールドのみを含むことができる。さらに、ユーザ固有サブフィールドは、効率的な負荷平衡のために２つのＨＥ−ＳＩＧ−Ｂチャネルフィールド間で均等に分割される。より詳細には、Ｋ人のユーザが多重化されたＭＵ−ＭＩＭＯ送信の場合、
最初の
【数２０】
2019507529.tif 000023
個のユーザ固有サブフィールドがＨＥ−ＳＩＧ−Ｂ１  ３０２内に存在し、残りの
【数２１】
2019507529.tif 000024
個のユーザ固有サブフィールドがＨＥ−ＳＩＧ−Ｂ２  ３０４内に存在する。その結果、ＨＥ−ＳＩＧ−Ｂシンボルの数が最小限に抑えられ、したがって、制御シグナリングを通知するためのオーバーヘッドが低減され、チャネル効率が改善される。
【００８８】
図１１は、本開示の第６の実施形態に係るＣＢＷ＝４０ＭＨｚの場合のＨＥパケット１００のＨＥ−ＳＩＧ−Ｂ  １１２のフォーマットの一例を示す。この例では、第１の２０ＭＨｚサブバンドチャネル３２２と第２の２０ＭＨｚサブバンドチャネル３２４の両方をカバーする４０ＭＨｚ帯域幅全体が、７人のユーザが多重化されたＭＵ−ＭＩＭＯ送信に配分される。したがって、ＨＥ−ＳＩＧ−Ｂ１  ３０２およびＨＥ−ＳＩＧ−Ｂ２  ３０４の各々は、ユーザ固有フィールド１１５０のみを含む。ＨＥ−ＳＩＧ−Ｂ１  ３０２のユーザ固有サブフィールド数Ｎｕｓｓ，１およびＢＣＣブロック数Ｎｂｌｋ，１は、それぞれ４および２である。ＨＥ−ＳＩＧ−Ｂ２  ３０４のユーザ固有サブフィールド数Ｎｕｓｓ，２およびＢＣＣブロック数Ｎｂｌｋ，２は、それぞれ３および２である。下記であるものとする。
・各ユーザ固有サブフィールドは、Ｌｕｓｓ＝２２ビットの長さを有し、２つのユーザ固有サブフィールドを含む各ＢＣＣブロックは、Ｌｂｌｋ＝５４ビットの長さを有する；かつ、
・ＨＥ−ＳＩＧ−Ｂ  １１２に使用されるＭＣＳは、ＮＤＢＰＳ＝５２であるＶＨＴ−ＭＣＳ１である。
【００８９】
したがって、ＨＥ−ＳＩＧ−Ｂシンボルの数Ｎｓｙｍ  は３であり、これは以下の式（１８）によって計算することができる。
【数２２】
2019507529.tif 000025
【００９０】
式中、以下が成り立つ。
【数２３】
2019507529.tif 000026
【００９１】
本開示の第６の実施形態によれば、ＨＥ−ＳＩＧ−Ｂシンボルの数およびＨＥ−ＳＩＧ−Ｂ  １１２に使用されるＭＣＳを示すシグナリングに加えて、ＭＵ−ＭＩＭＯ送信のためにチャネル帯域幅全体が配分される特定のリソース配分の存在を示すシグナリングが、ＨＥ−ＳＩＧ−Ａ  １１０において必要とされる。このようなシグナリングに基づいて、ＳＴＡはＨＥ−ＳＩＧ−Ｂ  １１２を適切に復号することができる。
【００９２】
本開示の第６の実施形態によれば、２つのＨＥ−ＳＩＧ−Ｂチャネル内にリソース配分シグナリングが存在しないため、ＳＴＡは、ＨＥ−ＳＩＧ−Ｂ１  ３０２におけるユーザ固有サブフィールド数Ｎｕｓｓ，１およびＨＥ−ＳＩＧ−Ｂ２  ３０４内のユーザ固有サブフィールド数Ｎｕｓｓ，２の数を決定できない場合がある。ＨＥ−ＳＩＧ−ＢシンボルＮｓｙｍの数、ＨＥ−ＳＩＧ−Ｂ  １１２に使用されるＭＣＳ、およびαの値が与えられると、ＨＥ−ＳＩＧ−Ｂ１  ３０２内のユーザ固有サブフィールドＮｕｓｓ，１の数は、以下の式（２０）によって決定することができる。
【数２４】
2019507529.tif 000027
【００９３】
式中、以下が成り立つ。
【数２５】
2019507529.tif 000028
【００９４】
ＨＥ−ＳＩＧ−Ｂ２  ３０４内のユーザ固有サブフィールドの数Ｎｕｓｓ，２は、以下の式（２２）によって決定することができる。
【数２６】
2019507529.tif 000029
【００９５】
式中、以下が成り立つ。
【数２７】
2019507529.tif 000030
【００９６】
言い換えれば、ＳＴＡがＨＥ−ＳＩＧ−Ｂ１  ３０２内のユーザ固有サブフィールドの数Ｎｕｓｓ，１およびＨＥ−ＳＩＧ−Ｂ２  ３０４内のユーザ固有サブフィールドの数Ｎｕｓｓ，２を決定するのを支援する目的で、ＨＥ−ＳＩＧ−Ａ  １１０において、αの値を示すために（すなわち、ＨＥ−ＳＩＧ−Ｂ１  ３０２内に偶数個のユーザ固有サブフィールドが存在するか否かを示すために）、および、βの値を示すために（すなわち、ＨＥ−ＳＩＧ−Ｂ１  ３０２とＨＥ−ＳＩＧ−Ｂ２  ３０４の両方の中に等しい数のユーザ固有サブフィールドが存在する否かを示すために）シグナリングが必要とされ得る。代替的に、ＨＥ−ＳＩＧ−Ａ  １１０において、ＭＵ−ＭＩＭＯ送信内で多重化されているユーザの数を４で除算した余りを示すために、シグナリングが必要とされ得る。０に等しい余りは、α＝０かつβ＝０を意味する。１に等しい余りは、α＝０かつβ＝１を意味する。２に等しい余りは、α＝１かつβ＝０を意味する。３に等しい余りは、α＝０かつβ＝１を意味する。
【００９７】
＜ＨＥ−ＳＩＧ−Ａ内のシグナリングフィールドに関連するＨＥ−ＳＩＧ−Ｂ＞
提案されたＩＥＥＥ８０２．１１ａｘのドラフト仕様［非特許文献５参照］によれば、表２に示されるＨＥ−ＳＩＧ−Ａ  １１０内のシグナリングフィールドは、ＨＥ−ＳＩＧ−Ｂ  １１２に関する必要な情報を提供する。
【表２】
2019507529.tif 000031
【００９８】
提案されたＩＥＥＥ８０２．１１ａｘのドラフト仕様［非特許文献５参照］によれば、ＤＣＭ（デュアルサブキャリア変調）は、ＭＣＳ０、ＭＣＳ１、ＭＣＳ３およびＭＣＳ４にのみ適用可能である。
【００９９】
提案されたＩＥＥＥ８０２．１１ａｘのドラフト仕様［非特許文献５参照］によれば、ＭＵ−ＭＩＭＯ送信による全帯域における空間多重されたユーザの数は最大８である。
【０１００】
提案されたＩＥＥＥ８０２．１１ａｘのドラフト仕様［非特許文献５参照］によれば、ＨＥ−ＳＩＧ−Ｂ  １１２内の各ユーザ固有のサブフィールドのビット長は２１であり、各ＢＣＣブロックのビット長は、単一のユーザ固有のＨＥ−ＳＩＧ−Ｂ  １１２内の２つのユーザ固有のサブフィールドを含むＢＣＣブロックのビット長は５２であり、データサブキャリアの数と全く同じであり、ＨＥ−ＳＩＧ−Ｂのシンボル当たりのデータサブキャリアの数と全く同じである。
【０１０１】
＜第７の実施形態＞
本開示の第７の実施形態では、全帯域幅ＭＵ−ＭＩＭＯ送信の場合に、第６の実施形態と全く同じ圧縮ＨＥ−ＳＩＧ−Ｂ（ｃｏｍｐｒｅｓｓｅｄ  ＨＥ−ＳＩＧ−Ｂ）構造を採用する。しかしながら、第７の実施形態は、圧縮ＨＥ−ＳＩＧ−Ｂ  １１２のＨＥ−ＳＩＧ−Ａ  １１０において、第６の実施形態とは異なるシグナリングサポートを指定する。
【０１０２】
圧縮ＨＥ−ＳＩＧ−Ｂ  １１２については、表３に示すように、ＨＥ−ＳＩＧ−Ｂシンボルの数は、ＨＥ−ＳＩＧ−Ｂ送信  １１２に使用されるＭＣＳと、ＨＥ−ＳＩＧ−Ｂ  １１２内のユーザ固有のサブフィールドの数Ｎｕｓｓに等しい全帯域幅ＭＵ−ＭＩＭＯ送信における空間多重されたユーザの数に依存することに留意されたい。表３から、圧縮ＨＥ−ＳＩＧ−Ｂ  １１２に対するＨＥ−ＳＩＧ−Ｂ記号の最大数は８であることが分かる。結果として、ＨＥ−ＳＩＧ−Ａ  １１０内の４ビットのＳＩＧＢシンボル数フィールド内の３ビットは、圧縮ＨＥ−ＳＩＧ−Ｂ  １１２のためのＨＥ−ＳＩＧ−Ｂシンボルの数を示すのに十分であり、したがって、ＨＥ−ＳＩＧ−Ａ  １１０内の４ビットのＳＩＧＢシンボル数フィールド内の残りの１ビットは、他の目的のために使用することができる。また、表３から、ＭＣＳ２、ＭＣＳ４およびＭＣＳ５は、圧縮ＨＥ−ＳＩＧ−Ｂ  １１２には必要ないことが分かる。これは、全帯域幅ＭＵ−ＭＩＭＯ送信における空間多重されたユーザの数が同じである場合、ＤＣＭを適用するＭＣＳ４は、ＤＣＭを適用するＭＣＳ３と同じ数のＨＥ−ＳＩＧ−Ｂシンボルを必要とし、ＤＣＭを適用しないＭＣＳ４またはＭＣＳ５は、ＤＣＭを適用しないＭＣＳ３としてのＨＥ−ＳＩＧ−Ｂシンボルの数を適用し、ＭＣＳ２はＤＣＭを適用せずにＭＣＳ１と同じ数のＨＥ−ＳＩＧ−Ｂシンボルを必要とする。結果として、ＨＥ−ＳＩＧ−Ａ  １１０内の３ビットのＳＩＧＢ  ＭＣＳフィールド内の２ビットは、圧縮ＨＥ−ＳＩＧ−Ｂ  １１２に使用されるＭＣＳを示すのに十分であり、したがって、ＨＥ−ＳＩＧ−Ａ  １１０内の３ビットのＳＩＧＢ  ＭＣＳフィールド内の残りの１ビットは、他の目的のために使用することができる。
【表３】
2019507529.tif 000032
【０１０３】
本開示の第７の実施形態によれば、ＨＥ−ＳＩＧ−Ａ  １１０のＳＩＧＢ圧縮フィールドが１に設定されたときに、３ビットのシグナリングが、全帯域幅ＭＵ−ＭＩＭＯ送信において空間多重されたユーザの数を示すために、ＨＥ−ＳＩＧ−Ａ  １１０内で搬送される。
【０１０４】
一実施形態では、３つのシグナリングビットのうちの１つとして、ＨＥ−ＳＩＧ−Ａ  １１０内の４ビットのＳＩＧＢシンボル数フィールドの所定ビット、例えばＭＳＢ（Most Significant Bit）が再利用される。一実施形態では、３つのシグナリングビットのうちの１つとして、ＨＥ−ＳＩＧ−Ａ  １１０内の３ビットのＳＩＧＢ  ＭＣＳフィールドの所定ビット、例えばＭＳＢが再利用される。いずれの場合も、ＨＥ−ＳＩＧ−Ａ  １１０には２つの余分なシグナリングビットしか必要とされない。それは、ＨＥ−ＳＩＧ−Ａ  １１０内の全帯域幅ＭＵ−ＭＩＭＯ送信において、空間多重されたユーザの数をシグナリングすることと比較して、１つのシグナリングビットを節約する。例えば、表４に示すように、ＨＥ−ＳＩＧ−Ａ  １１０内の４ビットのＳＩＧＢシンボル数フィールドのＭＳＢは、ＨＥ−ＳＩＧ−Ｂ１  ３０２およびＨＥ−ＳＩＧ−Ｂ２  ３０４の両方に等しい数のユーザ固有のサブフィールドがあるかどうかを示すために、再利用される。２つの追加のシグナリングビットは、ＨＥ−ＳＩＧ−Ｂ１  ３０２（すなわち、Ｎｕｓｓ、１）内のユーザ特有のサブフィールドの数を示すために使用される。受信機は、以下の式（２４）によって、全帯域幅ＭＵ−ＭＩＭＯ送信において、空間多重されたユーザの数を決定することができる。
【数２８】
2019507529.tif 000033
【０１０５】
ここで、ＨＥ−ＳＩＧ−Ｂ１  ３０２およびＨＥ−ＳＩＧ−Ｂ２  ３０４の両方が同じ数のユーザ固有のサブフィールドを有する場合、βはゼロに等しい。その他の場合、βは１に等しい。
【表４】
2019507529.tif 000034
【０１０６】
一実施形態では、３つのシグナリングビットのうちの２つとして、ＨＥ−ＳＩＧ−Ａ１１０内の４ビットのＳＩＧＢシンボル数フィールドの所定のビット、例えばＭＳＢ、および、ＨＥ−ＳＩＧ−Ａ  １１０内の３ビットのＳＩＧＢ  ＭＣＳフィールドの所定のビット、例えばＭＳＢの両方が再利用される。この場合、全帯域幅ＭＵ−ＭＩＭＯ送信における空間多重されたユーザの数を示すために、ＨＥ−ＳＩＧ−Ａ  １１０には１つの余分なシグナリングビットしか必要とされない。それは、ＨＥ−ＳＩＧ−Ａ  １１０内の全帯域幅ＭＵ−ＭＩＭＯ伝送における空間多重されたユーザの数をシグナリングすることと比較して、２つのシグナリングビットを節約する。例えば、ＨＥ−ＳＩＧ−Ａ  １１０内の４ビットのＳＩＧＢシンボル数フィールドのＭＳＢは、ＨＥ−ＳＩＧ−Ｂ１  ３０２およびＨＥ−ＳＩＧ−Ｂ２  ３０４の両方に等しい数のユーザ固有のサブフィールドが存在するかどうかを示すために再利用される。ＨＥ−ＳＩＧ−Ａ  １１０内の３ビットＳＩＧＢ  ＭＣＳフィールドのＭＳＢは、ＨＥ−ＳＩＧ−Ｂ１  ３０２内のＢＣＣブロックの数Ｎｂｌｋ，１が１または２であるかどうかを示すために再利用される。ＨＥ−ＳＩＧ−Ｂ１  ３０２内の最後のＢＣＣブロックが単一のユーザ固有のサブフィールドまたは２つのユーザ固有のサブフィールドを含むかどうかを示すために、１つの追加のシグナリングビットが使用される。受信機は、以下の式（２５）によって、全帯域幅ＭＵ−ＭＩＭＯ送信において、空間多重されたユーザの数を決定することができる。
【数２９】
2019507529.tif 000035
【０１０７】
ここで、ＨＥ−ＳＩＧ−Ｂ１  ３０２内の最後のＢＣＣブロックが２つのユーザ固有のサブフィールドを含む場合、αはゼロに等しい。その他の場合、αは１に等しい。ＨＥ−ＳＩＧ−Ｂ１  ３０２およびＨＥ−ＳＩＧ−Ｂ２  ３０４の両方が同じ数のユーザ固有のサブフィールドを有する場合、βはゼロに等しい。その他の場合、βは１に等しい。
【０１０８】
＜第８の実施形態＞
本開示の第８の実施形態では、全帯域幅ＭＵ−ＭＩＭＯ送信の場合に、第６の実施形態と全く同じ圧縮ＨＥ−ＳＩＧ−Ｂ構造を採用する。しかしながら、第８の実施形態は、圧縮ＨＥ−ＳＩＧ−Ｂ  １１２のＨＥ−ＳＩＧ−Ａ  １１０において、第６の実施形態とは異なるシグナリングサポートを指定する。
【０１０９】
本開示の第８の実施形態によれば、ＨＥ−ＳＩＧ−Ｂモード（すなわち、ＨＥ−ＳＩＧ−Ｂ  １１２が圧縮されているか否か）と、全帯域幅ＭＵ−ＭＩＭＯ送信における空間多重されたユーザの数とを併せて示すために、ＨＥ−ＳＩＧ−ＡモードのＳＩＧＢ圧縮フィールドのビット長を１ビットから３ビットに拡張する。例示的なシグナリング符号化が表５に示されている。その結果、全帯域幅ＭＵ−ＭＩＭＯ送信において空間多重されたユーザの数を示すために、ＨＥ−ＳＩＧ−Ａ  １１０に２つの余分なシグナリングビットしか必要とされない。それは、ＨＥ−ＳＩＧ−Ａ  １１０内の全帯域幅ＭＵ−ＭＩＭＯ送信において、空間多重されたユーザの数をシグナリングすることと比較して、１つのシグナリングビットを節約する。
【表５】
2019507529.tif 000036
【０１１０】
＜第９の実施形態＞
本開示の第９の実施形態では、全帯域幅ＭＵ−ＭＩＭＯ送信の場合に、第６の実施形態と全く同じ圧縮ＨＥ−ＳＩＧ−Ｂ構造を採用する。しかしながら、第９の実施形態は、圧縮ＨＥ−ＳＩＧ−Ｂ  １１２のＨＥ−ＳＩＧ−Ａ  １１０において、第６の実施形態とは異なるシグナリングサポートを指定する。
【０１１１】
表３から、全帯域幅ＭＵ−ＭＩＭＯ送信におけるＨＥ−ＳＩＧ−Ｂシンボルの数（すなわち、Ｎｓｙｍ）と空間多重されたユーザの数（すなわち、ＮＵＳＳ）とのあらゆる組み合わせが可能ではないことが分かる。より詳細には、ＮＵＳＳ＝２の場合、ＨＥ−ＳＩＧ−Ｂのシンボルの可能な数は１、２または３である。ＮＵＳＳ＝３または４の場合、ＨＥ−ＳＩＧ−Ｂのシンボルの可能な数は１、２または４である。ＮＵＳＳ＝５または６の場合、ＨＥ−ＳＩＧ−Ｂのシンボルの可能な数は１、２、４または７である。ＮＵＳＳ＝７または８の場合、ＨＥ−ＳＩＧ−Ｂのシンボルの可能な数は１、２、４または８である。すなわち、全帯域幅ＭＵ−ＭＩＭＯ送信におけるＨＥ−ＳＩＧ−Ｂシンボルの数と空間多重されたユーザの数との合計で２５の可能な組み合わせが存在する。換言すれば、全帯域幅ＭＵ−ＭＩＭＯ送信におけるＨＥ−ＳＩＧ−Ｂシンボルの数と空間多重されたユーザの数との間の２５の可能な組み合わせをシグナリングするには５ビットで十分である。
【０１１２】
本開示の第９の実施形態によれば、ＨＥ−ＳＩＧ−Ａ  １１０内のＳＩＧＢ圧縮フィールドが１に設定されたときに、ＨＥ−ＳＩＧ−Ａ  １１０内のＳＩＧＢシンボル数フィールドのビット長が、ＨＥ−ＳＩＧ−Ｂシンボルの数、および、全帯域幅ＭＵ−ＭＩＭＯ送信における空間多重されたユーザの数を併せてシグナリングするために、４ビットから５ビットに拡張される。シグナリング符号化の一例を表６−１、表６−２に示す。その結果、全帯域幅ＭＵ−ＭＩＭＯ送信における空間多重されたユーザの数を示すために、ＨＥ−ＳＩＧ−Ａ  １１０には１つの余分なシグナリングビットしか必要とされない。それは、ＨＥ−ＳＩＧ−Ａ  １１０内の全帯域幅ＭＵ−ＭＩＭＯ送信における空間多重されたユーザの数をシグナリングすることと比較して、２つのシグナリングビットを節約する。
【表６−１】
2019507529.tif 000037
【表６−２】
2019507529.tif 000038
【０１１３】
＜第１０の実施形態＞
本開示の第１０の実施形態では、全帯域幅ＭＵ−ＭＩＭＯ送信の場合に、第６の実施形態と全く同じ圧縮ＨＥ−ＳＩＧ−Ｂ構造を採用する。しかしながら、第１０の実施形態は、圧縮ＨＥ−ＳＩＧ−Ｂ  １１２のＨＥ−ＳＩＧ−Ａ  １１０において、第６の実施形態とは異なるシグナリングサポートを指定する。
【０１１４】
表３から、圧縮ＨＥ−ＳＩＧ−Ｂ  １１２では、ＭＣＳ２、ＭＣＳ４、ＭＣＳ５が不要であるため、ＨＥ−ＳＩＧ−Ｂ  １１２に対するＤＣＭの適用可能性、ＨＥ−ＳＩＧ−Ｂ  １１２のＭＣＳ、ＨＥ−ＳＩＧ−Ｂシンボルの数および全帯域幅ＭＵ−ＭＩＭＯ送信における空間多重されたユーザの数の組み合わせの総数は、４２である。換言すれば、圧縮ＨＥ−ＳＩＧ−Ｂ  １１２については、ＨＥ−ＳＩＧ−Ｂ  １１２に対するＤＣＭの適用可能性、ＨＥ−ＳＩＧ−Ｂ  １１２のＭＣＳ、ＨＥ−ＳＩＧ−Ｂシンボルの数および全帯域幅ＭＵ−ＭＩＭＯ送信における空間多重されたユーザの数を示すのに６ビットで十分である。
【０１１５】
本開示の第１０の実施形態によれば、ＨＥ−ＳＩＧ−Ｂ  １１２に対するＤＣＭの適用可能性、ＨＥ−ＳＩＧ−Ｂ  １１２のＭＣＳ、ＨＥ−ＳＩＧ−Ｂシンボルの数および全帯域幅ＭＵ−ＭＩＭＯ送信における空間多重されたユーザの数は、ＨＥ−ＳＩＧ−Ａ  １１０内の８ビットシグナリングを使用して併せて指示される。ＨＥ−ＳＩＧ−Ａ  １１０のＳＩＧＢ圧縮フィールドが０に設定されると、表２に示すように、８ビットシグナリングの最初の３ビットがＨＥ−ＳＩＧ−Ｂ  １２のＭＣＳを示すために使用され、ＤＣＭがＨＥ−ＳＩＧ−Ｂ  １１２に適用されているか否かを示すために８ビットシグナリングの次の１ビットが使用され、８ビットシグナリングの最後の４ビットがＨＥ−ＳＩＧ−Ｂの数を示すために使用される。ＨＥ−ＳＩＧ−Ａ  １１０のＳＩＧＢ圧縮フィールドが１にセットされると、８ビットシグナリングは、ＨＥ−ＳＩＧ−Ｂ  １１２に対するＤＣＭの適用可能性、ＨＥ−ＳＩＧ−Ｂ  １１２のＭＣＳ、ＨＥ−ＳＩＧ−Ｂシンボルの数および全帯域幅ＭＵ−ＭＩＭＯ送信における空間多重されたユーザの数を併せて示すために使用される。この場合、全帯域幅ＭＵ−ＭＩＭＯ送信における空間多重されたユーザの数を示すために、ＨＥ−ＳＩＧ−Ａ  １１０において余分なシグナリングビットは必要とされない。
【０１１６】
本開示によれば、圧縮ＨＥ−ＳＩＧ−Ｂ  １１２の全帯域幅ＭＵ−ＭＩＭＯについて、全帯域幅ＭＵ−ＭＩＭＯ送信において限られた数（すなわち、最大８）の空間多重されたユーザを利用するために、ユーザ固有のサブフィールドは、ＨＥ−ＳＩＧ−Ｂ１  ３０２とＨＥ−ＳＩＧ−Ｂ２  ３０４との間で等しく分配され、ＨＥ−ＳＩＧ−Ｂモード、ＨＥ−ＳＩＧ−Ｂ  １１２に対するＤＣＭの適用可能性、ＨＥ−ＳＩＧ−Ｂ  １１２のＭＣＳ、ＨＥ−ＳＩＧ−Ｂシンボルの数などの１つ以上のＨＥ−ＳＩＧ−Ｂ関連の信号は、圧縮ＨＥ−ＳＩＧ−Ｂ  １１２に対する全帯域幅ＭＵ−ＭＩＭＯ送信において空間多重化されたユーザの数を示すために必要とされる余分のシグナリングビットを減らすために、全帯域幅ＭＵ−ＭＩＭＯ送信において、空間多重されたユーザの数と併せてシグナリングされ得る。
【０１１７】
＜第１１の実施形態＞
本開示の第１１の実施形態では、全帯域幅ＭＵ−ＭＩＭＯ送信の場合に、第６の実施形態と全く同じ圧縮ＨＥ−ＳＩＧ−Ｂ構造を採用する。しかしながら、第１１の実施形態は、圧縮ＨＥ−ＳＩＧ−Ｂ  １１２のＨＥ−ＳＩＧ−Ａ  １１０において、第６の実施形態とは異なるシグナリングサポートを指定する。
【０１１８】
本開示の第１１の実施形態によれば、ＨＥ−ＳＩＧ−Ａ  １１０内のＳＩＧＢ圧縮フィールドが１にセットされたときに、ＨＥ−ＳＩＧ−Ａ  １１０内のＳＩＧＢシンボル数フィールドは、ＨＥ−ＳＩＧ−Ｂシンボルの数の代わりに、Ａ全帯域幅ＭＵ−ＭＩＭＯ送信における空間多重されたユーザの数をシグナリングするために使用される。シグナリング符号化の例を表７に示す。結果として、全帯域幅ＭＵ−ＭＩＭＯ送信における空間多重されたユーザの数を示すために、ＨＥ−ＳＩＧ−Ａ  １１０に余分なシグナリングビットが必要とされない。それは、ＨＥ−ＳＩＧ−Ａ  １１０内の全帯域幅ＭＵ−ＭＩＭＯ送信における空間多重されたユーザの数をシグナリングすることと比較して、３つのシグナリングビットを節約する。
【表７】
2019507529.tif 000039
【０１１９】
本開示の第１１の実施形態によれば、ＨＥ−ＳＩＧ−Ａ  １１０中のＳＩＧＢ圧縮フィールドが１に設定された場合、表３に示すように、ＨＥ−ＳＩＧ−Ｂシンボルの数は、ＳＩＧＢ  ＭＣＳフィールドの値、ＨＥ−ＳＩＧ−Ａ  １１０内のＳＩＧＢ  ＤＣＭフィールドおよびＳＩＧＢシンボル数フィールドに基づいて計算され得る。
【０１２０】
＜アクセスポイントの構成＞
図１２は、本開示に係るＡＰの構成例を示すブロック図である。ＡＰは、コントローラ１２０２と、スケジューラ１２０４と、メッセージ生成部１２０８と、メッセージプロセッサ１２０６と、ＰＨＹプロセッサ１２１０と、アンテナ１２１２とを備える。アンテナ１２１２は、１つのアンテナポートまたは複数のアンテナポートの組み合わせで構成することができる。コントローラ１２０２は、ＭＡＣプロトコルコントローラであり、一般的なＭＡＣプロトコル動作を制御する。ＤＬ送信の場合、スケジューラ１２０４は、ＳＴＡからのチャネル品質指標（ＣＱＩ：ｃｈａｎｎｅｌ  ｑｕａｌｉｔｙ  ｉｎｄｉｃａｔｏｒ）に基づいてコントローラ１２０２の制御下で周波数スケジューリングを実行し、ＳＴＡのデータをＲＵに割り当てる。また、スケジューラ１２０４は、リソース割り当て結果をメッセージ生成部１２０８に出力する。メッセージ生成部１２０８は、対応する制御シグナリング（すなわち、共通制御情報、リソース割り当て情報、およびユーザ別割り当て情報）およびスケジュールされているＳＴＡのデータを生成し、これらは、ＰＨＹプロセッサ１２１０によってＨＥパケットに形成され、アンテナ１２１２を介して送信される。制御シグナリングは、上述の実施形態に従って構成することができる。他方、メッセージプロセッサ１２０６は、アンテナ１２１２を通じてＳＴＡから受信したＣＱＩを、コントローラ１２０２の制御の下で分析し、スケジューラ１２０４およびコントローラ１２０２に提供する。これらのＣＱＩは、ＳＴＡから通知されている受信品質情報である。ＣＱＩは、「ＣＳＩ」（チャネル状態情報（Ｃｈａｎｎｅｌ  Ｓｔａｔｅ  Ｉｎｆｏｒｍａｔｉｏｎ））と呼ばれることもある。
【０１２１】
＜ＳＴＡの構成＞
図１３は、本開示に係るＳＴＡの構成例を示すブロック図である。ＳＴＡは、コントローラ１３０２と、メッセージ生成部１３０４と、メッセージプロセッサ１３０６と、ＰＨＹプロセッサ１３０８と、アンテナ１３１０とを備える。コントローラ１３０２は、ＭＡＣプロトコルコントローラであり、一般的なＭＡＣプロトコル動作を制御する。アンテナ１３１０は、１つのアンテナポートまたは複数のアンテナポートの組み合わせで構成することができる。ＤＬ送信の場合、アンテナ１３１０は、ＨＥパケットを含む下りリンク信号を受信し、メッセージプロセッサ１３０６は、受信したＨＥパケットに含まれる制御シグナリングから、その指定されたＲＵおよびその特定の割り当て情報を特定し、その特定の割り当て情報に従ってその指定されたＲＵにおいて受信ＨＥパケットからその特定のデータを復号する。ＨＥパケットに含まれる制御シグナリングは、上述の実施形態に従って構成することができる。メッセージプロセッサ１３０６は、アンテナ１３１０を通じて受信したＨＥパケットからチャネル品質を推定し、コントローラ１３０２に提供する。メッセージ生成部１３０４はＣＱＩメッセージを生成し、ＣＱＩメッセージは、ＰＨＹプロセッサ１３０８によって形成され、アンテナ１３１０を介して送信される。
【０１２２】
上記実施形態では、本発明を例としてハードウェアで構成したが、本発明はまた、ハードウェアと協働するソフトウェアによって提供されてもよい。
【０１２３】
加えて、本実施形態の説明に用いた機能ブロックは、一般的には、集積回路であるＬＳＩデバイスとして実現される。機能ブロックは、個々のチップとして形成されてもよいし、または、機能ブロックの一部もしくは全部が単一チップに集積されてもよい。ここでは「ＬＳＩ」という用語を用いているが、集積度に応じて、「ＩＣ」、「システムＬＳＩ」、「スーパーＬＳＩ」または「ウルトラＬＳＩ」という用語も使用されてもよい。
【０１２４】
加えて、回路集積はＬＳＩに限定されず、ＬＳＩ以外の専用回路または汎用プロセッサで実現してもよい。ＬＳＩの製造後、プログラム可能であるフィールドプログラマブルゲートアレイ（ＦＰＧＡ：ｆｉｅｌｄ  ｐｒｏｇｒａｍｍａｂｌｅ  ｇａｔｅ  ａｒｒａｙ）、または、ＬＳＩ内の回路セルの接続および設定の再構成を可能にするリコンフィギュラブルプロセッサを用いてもよい。
【０１２５】
ＬＳＩに置き換わる集積回路技術が、半導体技術またはその技術に由来する他の技術の進歩の結果として現れた場合、そのような技術を用いて機能ブロックが統合されてもよい。別の可能性は、バイオテクノロジーなどの応用である。
【産業上の利用可能性】
【０１２６】
本開示は、無線通信システムにおいてリソース割り当て情報をフォーマットし、送信するための方法に適用することができる。
【符号の説明】
【０１２７】
１２０２  コントローラ
１２０４  スケジューラ
１２０６  メッセージプロセッサ
１２０８  メッセージ生成部
１２１０  ＰＨＹプロセッサ
１２１２  アンテナ
１３０２  コントローラ
１３０４  メッセージ生成部
１３０６  メッセージプロセッサ
１３０８  ＰＨＹプロセッサ
１３１０  アンテナ
【図１】
2019507529.tif 000040
【図２】
2019507529.tif 000041
【図３】
2019507529.tif 000042
【図４】
2019507529.tif 000043
【図５】
2019507529.tif 000044
【図６】
2019507529.tif 000045
【図７】
2019507529.tif 000046
【図８】
2019507529.tif 000047
【図９】
2019507529.tif 000048
【図１０】
2019507529.tif 000049
【図１１】
2019507529.tif 000050
【図１２】
2019507529.tif 000051
【図１３】
2019507529.tif 000052
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
動作時に、レガシープリアンブル、非レガシープリアンブル、および、データフィールドを含む送信信号を生成する送信信号生成部と、
動作時に、前記生成された送信信号を送信する送信部と、
を備え、
前記非レガシープリアンブルは、ＳＩＧ−ＡフィールドおよびＳＩＧ−Ｂフィールドを含み、前記ＳＩＧ−Ｂフィールドは、第１の周波数サブバンドに対応する第１のチャネルフィールドおよび前記第１の周波数サブバンドと異なる第２の周波数サブバンドに対応する第２のチャネルフィールドを含み、前記ＳＩＧ−Ａフィールドは、ＳＩＧ−Ｂ圧縮サブフィールドおよびＳＩＧ−Ｂシンボル数サブフィールドを含み、
前記ＳＩＧ−Ｂシンボル数サブフィールドは、前記第１の周波数サブバンドおよび前記第２の周波数サブバンドを含む全帯域幅がマルチユーザ（ＭＵ：Multi-User）ＭＩＭＯ送信のために割り当てられていないことを前記ＳＩＧ−Ｂ圧縮サブフィールドが示す場合、前記ＳＩＧ−Ｂフィールド内のＳＩＧ−Ｂシンボル数を示し、
前記ＳＩＧ−Ｂシンボル数サブフィールドは、前記全帯域幅が前記ＭＵ  ＭＩＭＯ送信のために割り当てられていることを前記ＳＩＧ−Ｂ圧縮サブフィールドが示す場合、ＭＵ  ＭＩＭＯユーザの数を示す、
送信装置。
【請求項２】
前記全帯域幅が前記ＭＵ  ＭＩＭＯ送信のために割り当てられていることを前記ＳＩＧ−Ｂ圧縮サブフィールドが示す場合、複数のユーザ固有サブフィールドが前記第１のチャネルフィールドと前記第２のチャネルフィールドの間で均等に分割割り当てされている、
請求項１に記載の送信装置。
【請求項３】
前記第１のチャネルフィールドおよび前記第２のチャネルフィールドの各々は、複数のユーザ固有サブフィールドを含むユーザ固有フィールドを含み、前記複数のユーザ固有サブフィールドの各々は、対応する端末局への情報を搬送する、
請求項１に記載の送信装置。
【請求項４】
前記全帯域幅が前記ＭＵ  ＭＩＭＯ送信のために配分されていることを前記ＳＩＧ−Ｂ圧縮サブフィールドが示す場合、前記第１のチャネルフィールドおよび前記第２のチャネルフィールドの各々、リソース割り当て情報を搬送する共通フィールドが存在しない、
請求項１に記載の送信装置。
【請求項５】
前記全帯域幅が前記ＭＵ  ＭＩＭＯ送信のために割り当てられていないことを前記ＳＩＧ−Ｂ圧縮サブフィールドが示す場合、前記第１のチャネルフィールドおよび前記第２のチャネルフィールドの各々は、リソース割り当て情報を搬送する共通フィールドを含む、
請求項１に記載の送信装置。
【請求項６】
前記全帯域幅が前記ＭＵ  ＭＩＭＯ送信のために割り当てられていないことを前記ＳＩＧ−Ｂ圧縮サブフィールドが示す場合、前記ＳＩＧ−Ｂフィールド内の前記第１のチャネルフィールドおよび前記第２のチャネルフィールドの各々は、リソース割り当て情報を搬送する共通フィールドを含み、
前記全帯域幅が前記ＭＵ  ＭＩＭＯ送信のために割り当てられていることを前記ＳＩＧ−Ｂ圧縮サブフィールドが示す場合、リソース割り当て情報を搬送する前記共通フィールドは、前記第１のチャネルフィールドおよび前記第２のチャネルフィールドの各々には、リソース割り当て情報を搬送する前記共通フィールドが存在しない、
請求項１に記載の送信装置。
【請求項７】
レガシープリアンブル、非レガシープリアンブルおよびデータフィールドを含む送信信号を生成するステップと、
前記生成された送信信号を送信するステップと、
を含み、
前記非レガシープリアンブルは、ＳＩＧ−ＡフィールドおよびＳＩＧ−Ｂフィールドを含み、前記ＳＩＧ−Ｂフィールドは、第１の周波数サブバンドに対応する第１のチャネルフィールドおよび前記第１の周波数サブバンドと異なる第２の周波数サブバンドに対応する第２のチャネルフィールドを含み、前記ＳＩＧ−Ａフィールドは、ＳＩＧ−Ｂ圧縮サブフィールドおよびＳＩＧ−Ｂシンボル数サブフィールドを含み、
前記ＳＩＧ−Ｂシンボル数サブフィールドは、前記第１の周波数サブバンドおよび前記第２の周波数サブバンドを含む全帯域幅がマルチユーザ（ＭＵ：Multi-User）ＭＩＭＯ送信のために割り当てられていないことを前記ＳＩＧ−Ｂ圧縮サブフィールドが示す場合、前記ＳＩＧ−Ｂフィールド内のＳＩＧ−Ｂシンボル数を示し、
前記ＳＩＧ−Ｂシンボル数サブフィールドは、前記全帯域幅が前記ＭＵ  ＭＩＭＯ送信のために割り当てられていることを前記ＳＩＧ−Ｂ圧縮サブフィールドが示す場合、ＭＵ  ＭＩＭＯユーザの数を示す、
送信方法。
【手続補正書】
【提出日】平成30年9月11日(2018.9.11)
【手続補正１】
【補正対象書類名】明細書
【補正対象項目名】０００３
【補正方法】変更
【補正の内容】
【０００３】
８０２．１１ａｘにおけるＯＦＤＭＡマルチユーザ送信の周波数スケジューリングを行うための研究が進められている。周波数スケジューリングによれば、無線通信アクセスポイント装置（以下、単に「アクセスポイント」または「ＡＰ」という）は、複数の無線通信局装置（以下、単に「端末局」または「ＳＴＡ」という）に、ＳＴＡの周波数帯域の受信品質に基づいてサブキャリアを適応的に割り当てる。これにより、最大限のマルチユーザダイバーシティ効果を得ることができ、通信を非常に効率的に行うことができる。
【手続補正２】
【補正対象書類名】図面
【補正対象項目名】図５
【補正方法】変更
【補正の内容】
【図５】
2019507529.tif 000053
【手続補正３】
【補正対象書類名】図面
【補正対象項目名】図１０
【補正方法】変更
【補正の内容】
【図１０】
2019507529.tif 000054
【手続補正４】
【補正対象書類名】図面
【補正対象項目名】図１１
【補正方法】変更
【補正の内容】
【図１１】
2019507529.tif 000055
【国際調査報告】
2019507529.tif 000056
2019507529.tif 000057